(57)【要約】【課題】例外的な撮影状況による影響を低減させてユーザの好みを反映し得る遊戯用撮影装置を提供する。【解決手段】遊戯用撮影装置１００において、個別認証部１３１は、撮像部１３２により撮像されるユーザの認証用の撮影画像を取得し、その画像から人物を検出する人物検出を実行し、検出した各人物の特徴を特定する人物認証を実行する。画像取得部は、撮像部１３２により撮像されるユーザの本撮影用の撮影画像を取得する。補正処理部１４２は、撮影画像に対する補正を実行する。出力処理部は、撮影された画像の出力処理を実行する。補正処理部１４２は、人物認証の結果に基づいて本撮影用の撮影画像に含まれる人物ごとに個別の補正を実行し、人物検出または人物認証に失敗していた場合は本撮影用の撮影画像に含まれる被写体全体に対する補正を実行する。【選択図】図８
2017037615.tif 000002
【特許請求の範囲】
【請求項１】
ユーザを被写体とした撮影がなされる撮影空間と、
前記撮影空間においてユーザを被写体に含む像を撮像する撮像部と、
前記撮像部により撮像されるユーザの認証用の撮影画像を取得し、その画像から人物を検出する人物検出を実行し、検出した各人物の特徴を特定する人物認証を実行する個別認証部と、
前記撮像部により撮像されるユーザの本撮影用の撮影画像を取得する画像取得部と、
前記撮影画像に対する補正を実行する補正処理部と、
撮影された画像の出力処理を実行する出力処理部と、
を備え、
前記補正処理部は、人物認証の結果に基づいて前記本撮影用の撮影画像に含まれる人物ごとに個別の補正を実行し、前記人物検出または前記人物認証に失敗していた場合は前記本撮影用の撮影画像に含まれる被写体全体に対する補正を実行することを特徴とする遊戯用撮影装置。
【請求項２】
前記補正処理部は、前記人物検出または前記人物認証に失敗していた場合、前記本撮影用の撮影画像に含まれる被写体全体に対する補正に関してユーザの指示を受け付ける画面においてその補正を即時に仮反映させる対象として１枚以上のプレビュー画像を表示させるとともに、そのプレビュー画像は、前記認証用の撮影画像または前記本撮影用の撮影画像であって複数枚撮影された前記本撮影用の撮影画像のうち少なくとも１枚を含めて表示する画像であることを特徴とする請求項１に記載の遊戯用撮影装置。
【請求項３】
前記補正処理部は、ユーザが選択し得る補正項目の種類は撮影人数に応じて異なるとともに、撮影人数が所定人数以内の場合であって前記人物検出または前記人物認証に失敗していた場合にはその撮影人数に対応してユーザが選択し得る補正項目の種類にて前記撮影画像に含まれる被写体全体に対する補正を実行することを特徴とする請求項１または２に記載の遊戯用撮影装置。
【請求項４】
前記認証用の撮影画像を取得する際に、撮影対象となる被写体の映像を画面にリアルタイム表示させるとともに、そのリアルタイム表示する被写体を走査するように仮想的な走査線を前記リアルタイム表示する被写体の上に重ねて表示する表示制御部をさらに備えることを特徴とする請求項１から３のいずれかに記載の遊戯用撮影装置。
【請求項５】
人物を含む第１の撮影画像を取得し、その画像から人物を検出する人物検出を実行し、検出した各人物の特徴を特定する人物認証を実行するステップと、
前記第１の撮影画像とは異なる第２の撮影画像を取得するステップと、
前記人物認証の結果に基づいて、前記第２の撮影画像に含まれる人物ごとに個別の補正を実行し、前記人物検出または前記人物認証に失敗していた場合は、第２の撮影画像に含まれる被写体全体に対する補正を実行するステップと、
を備える画像処理方法。
【請求項６】
人物を含む第１の撮影画像を取得し、その画像から人物を検出する人物検出を実行し、検出した各人物の特徴を特定する人物認証を実行するステップと、
前記第１の撮影画像とは異なる第２の撮影画像を取得するステップと、
前記人物認証の結果に基づいて、前記第２の撮影画像に含まれる人物ごとに個別の補正を実行し、前記人物検出または前記人物認証に失敗していた場合は、第２の撮影画像に含まれる被写体全体に対する補正を実行するステップと、
をコンピュータに実行させることを特徴とするプログラム。
【発明の詳細な説明】
【技術分野】
【０００１】
本発明は、遊戯用撮影装置、画像処理方法およびプログラムに関し、特に人物認証を用いて画像処理する装置、方法およびプログラムに関する。
【背景技術】
【０００２】
従来、複数のユーザを含む被写体をカメラで複数回撮影し、その撮影画像を写真印刷シートとして出力したり、ネットワークを介して外部の装置に送信したりすることができる遊戯用撮影装置および遊戯用写真撮影サービスが知られている。このような遊戯用撮影装置では、ユーザの嗜好に応じて、例えば、次のような編集処理を行えるものが多く提案されている。まず、撮影された被写体の画像に対してクロマキー処理をし、被写体部分を抽出した被写体画像を生成する。そして、この被写体画像にユーザが選択した背景画像を合成した上で、目の色や大きさ、肌の色、顔の輪郭などに補正を加えたり、文字や模様を重ねたりするなどの編集処理（一般に「落書き」とも呼ばれる）を経て、最終的な印刷用の画像を生成する。またそうした編集機能を、一緒に撮影した複数のユーザが一度にタッチペンなどで操作できるように提供することで、撮影から編集まで友人同士が一緒に楽しむことができ、人気を博している。
【先行技術文献】
【特許文献】
【０００３】
【特許文献１】特開２０１３−２４３４６６号公報
【特許文献２】特開２０１３−２４３６４８号公報
【発明の概要】
【発明が解決しようとする課題】
【０００４】
上述のような遊戯用撮影装置において、近年、撮影前に複数のユーザの人物認証を行うとともにユーザごとに補正の好みを指定しておき、撮影後は人物認証結果に基づいて複数のユーザを特定してユーザごとに指定してあった好みの態様で補正を実行する技術が知られている（例えば、特許文献１，２参照）。しかしながら、これら人物認証に基づいて個別に補正を実行する技術は、あくまでユーザが想定通りの撮影行動をとり、想定通りの人物認証結果が得られることを前提とするが、ユーザの行動や認証結果は想定外のものとなることも考えられる。そのため、ユーザの行動や認証結果が例外的であった場合でも適切に対処してユーザの好みに最大限応えられるような機能を提供することが望ましい。一方で、想定外の状況が生まれないように、できる限り想定通りの撮影行動をユーザに促し、想定通りの人物認証結果が得られるような機能も望まれる。
【０００５】
本発明はこうした課題に鑑みてなされたものであり、その目的は、例外的な撮影状況による影響を低減させてユーザの好みを反映し得る遊戯用撮影装置を提供することにある。
【課題を解決するための手段】
【０００６】
上記課題を解決するために、本発明のある態様の遊戯用撮影装置は、ユーザを被写体とした撮影がなされる撮影空間と、撮影空間においてユーザを被写体に含む像を撮像する撮像部と、撮像部により撮像されるユーザの認証用の撮影画像を取得し、その画像から人物を検出する人物検出を実行し、検出した各人物の特徴を特定する人物認証を実行する個別認証部と、撮像部により撮像されるユーザの本撮影用の撮影画像を取得する画像取得部と、撮影画像に対する補正を実行する補正処理部と、撮影された画像の出力処理を実行する出力処理部と、を備える。補正処理部は、人物認証の結果に基づいて本撮影用の撮影画像に含まれる人物ごとに個別の補正を実行し、人物検出または人物認証に失敗していた場合は本撮影用の撮影画像に含まれる被写体全体に対する補正を実行する。
【０００７】
ここで「ユーザの認証用の撮影画像」は、撮影に先立って事前設定された撮影人数に応じて取得してもよいし、事前設定なしに取得してもよい。事前設定された撮影人数に応じて取得する場合、撮影人数が所定人数以内の場合はユーザの人数分だけ取得し、所定人数を超える場合は取得しないこととしてもよい。事前設定なしに取得する場合、撮像部により撮像されるユーザの画像から撮影人数を検出して、その撮影人数が所定人数以内の場合に取得することとしてもよい。「人物検出」は、画像に含まれる人物の像全体を検出してもよいし、主に顔の部分を中心に検出してもよい。「人物認証」は、画像に含まれる人物の像全体から個別の特徴を特定してもよいし、主に顔における個別の特徴を特定してもよい。「認証用の撮影画像」は、主に「人物検出」および「人物認証」のために取得される画像であってよく、「本撮影用の撮影画像」は、ユーザからの指定に基づいて補正や編集を経て出力用の画像とするために取得される画像であってよい。「出力処理」は、シール紙などへの媒体への印刷処理、携帯端末への無線ダイレクト送信、ユーザに画像をダウンロードさせるためのサーバへのアップロード、のいずれを含んでもよい。「個別の補正」は、「人物検出」や「人物認証」に成功した場合に実行するものであってよく、または、撮影に先立って撮影人数が事前設定された場合にはその撮影人数が所定人数以内の場合に実行するものであってもよい。「被写体全体に対する補正」は、「人物検出または人物認証に失敗していた場合」だけでなく、撮影に先立って撮影人数が事前設定された場合にはその撮影人数が所定人数を超える場合にも実行するものであってもよい。
【０００８】
この態様によると、人物ごとの個別の補正が事実上困難となる例外的な状況において補正処理の複雑化や不具合を回避し、可能な範囲でユーザの好みを補正に反映させることができる。
【０００９】
補正処理部は、人物検出または人物認証に失敗していた場合、本撮影用の撮影画像に含まれる被写体全体に対する補正に関してユーザの指示を受け付ける画面においてその補正を即時に仮反映させる対象として１枚以上のプレビュー画像を表示させるとともに、そのプレビュー画像は、認証用の撮影画像または本撮影用の撮影画像であって複数枚撮影された本撮影用の撮影画像のうち少なくとも１枚を含めて表示する画像であってもよい。「プレビュー画像」は、人物検証および人物認証に成功していた場合は認証用の撮影画像を表示すればよく、一方で人物検出および人物認証に失敗していた場合は被写体として含まれる複数のユーザのうち人物検出に成功していたユーザがいればそのユーザについてのみ認証用の撮影画像を表示してもよい。本撮影用の撮影画像を表示する場合は、目や輪郭など顔の器官や部位の補正を確認しやすいように顔がアップで写った画像またはアップで写るように拡大した画像を表示してもよい。あるいは、複数回なされる本撮影によって複数枚取得される本撮影用の撮影画像のうちの複数枚を表示してもよいし、認証用の撮影画像と本撮影用の撮影画像の双方を並べて表示してもよい。この態様によれば、人物検出や人物認証に失敗するという例外的な状況においても、可能な範囲で補正のプレビューを見やすくし、ユーザの好みを適切に補正に反映させることができる。
【００１０】
補正処理部は、ユーザが選択し得る補正項目の種類は撮影人数に応じて異なるとともに、撮影人数が所定人数以内の場合であって人物検出または人物認証に失敗していた場合にはその撮影人数に対応してユーザが選択し得る補正項目の種類にて撮影画像に含まれる被写体全体に対する補正を実行してもよい。「補正処理部」は、撮影人数が所定人数以内の場合は本撮影用の撮影画像に含まれる人物ごとに個別の補正を実行してもよく、撮影人数が所定人数を超える場合は本撮影用の撮影画像に含まれる被写体全体に対する補正を実行してもよい。この態様によれば、人物検出や人物認証に失敗し、撮影人数が所定人数を超える場合と同様に個別の補正ではなく被写体全体に対する補正を実行することになるという例外的な状況においても、撮影人数が所定人数以内の場合と同様の補正項目の種類となるよう可能な範囲でユーザの好みを補正に反映させることができる。
【００１１】
認証用の撮影画像を取得する際に、撮影対象となる被写体の映像を画面にリアルタイム表示させるとともに、そのリアルタイム表示する被写体を走査するように仮想的な走査線をリアルタイム表示する被写体の上に重ねて表示する表示制御部をさらに備えてもよい。「仮想的な走査線」は、実際の処理として「走査」を実行することを要しない趣旨であって、その「走査線」の表示によって「認証用の撮影画像」をこれから撮影することをユーザに把握させる趣旨である。この態様によれば、仮想的な走査線をリアルタイム表示する被写体の上に重ねて表示することで現在撮影中であることをユーザに把握させて撮像部のある方向に注目させることができ、適切な撮影を効果的に促すことができる。
【００１２】
なお、以上の構成要素の任意の組み合わせ、本発明の表現を方法、装置、システム、コンピュータプログラム、データ構造、記録媒体などの間で変換したものもまた、本発明の態様として有効である。
【発明の効果】
【００１３】
本発明によれば、例外的な撮影状況による影響を低減させてユーザの好みを反映し得る遊戯用撮影装置を提供できる。
【図面の簡単な説明】
【００１４】
【図１】写真撮影システムの全体構成を模式的に示す図である。
【図２】遊戯用撮影装置を左前側から見た斜視図である。
【図３】図２に示す遊戯用撮影装置を上から見た平面図である。
【図４】撮影筐体の斜視図である。
【図５】編集筐体の斜視図である。
【図６】出力筐体の正面図である。
【図７】遊戯用撮影装置のハードウェア構成を模式的に示すブロック図である。
【図８】遊戯用撮影装置の機能構成を模式的に示す機能ブロック図である。
【図９】事前設定から本撮影までの過程を示すフローチャートである。
【図１０】補正および編集の過程を示すフローチャートである。
【図１１】出力処理の過程を示すフローチャートである。
【図１２】事前設定部のタッチパネルに表示される受付画面の例を示す図である。
【図１３】事前設定部のタッチパネルに表示される名前入力画面の例を示す図である。
【図１４】撮影人数が２人の場合の個別認証撮影における画面例を示す図である。
【図１５】撮影人数が３人の場合の個別認証撮影における画面例を示す図である。
【図１６】本撮影におけるアップ撮影の画面例を示す図である。
【図１７】本撮影における全身撮影の画面例を示す図である。
【図１８】撮影人数が２人の場合における補正方法の選択画面例を示す図である。
【図１９】撮影人数が３人の場合における補正方法の選択画面例を示す図である。
【図２０】撮影人数が「大人数」の場合における補正方法の選択画面例を示す図である。
【図２１】印刷シートデザインを選択する画面の例を示す図である。
【図２２】タブごとの印刷シートデザインの例を示す図である。
【図２３】事前設定の過程を示すフローチャートである。
【図２４】撮影空間における撮影の過程を示すフローチャートである。
【図２５】補正および編集の過程を示すフローチャートである。
【図２６】出力処理の過程を示すフローチャートである。
【図２７】事前設定部のタッチパネルに表示される受付画面の例を示す図である。
【図２８】カップルコースを選択した場合の個別認証撮影における画面例を示す図である。
【図２９】カップルコースの場合における補正方法の選択画面例を示す図である。
【発明を実施するための形態】
【００１５】
（第１実施形態）
＜写真撮影システムの概要＞
図１は、写真撮影システム６００の全体構成を模式的に示す図である。写真撮影システム６００は、インターネット等のネットワーク２００を介して接続する遊戯用撮影装置１００、管理サーバ３００、および複数の端末装置５００を含む。本図では、端末装置５００ａと端末装置５００ｂとのふたつの端末装置を図示しているが、端末装置５００の数は２に限られず、３以上であってよい。以下、本明細書において、それぞれの端末装置５００を特に区別する場合を除き、単に「端末装置５００」と総称する。
【００１６】
遊戯用撮影装置１００は、ユーザを含む被写体を写真撮影するカメラや、撮影した写真画像を編集するためのユーザインタフェースを備える電子機器を含む装置である。ユーザが遊戯用撮影装置１００で写真を撮影すると、遊戯用撮影装置１００は、ユーザを被写体に含む写真画像群と、プレイＩＤと、遊戯用撮影装置１００で入力されたメールアドレスとを紐付けて管理サーバ３００に送信する。プレイＩＤは、１プレイごとに一意に割り当てられる識別情報であり、プレイをした店舗における機種およびプレイを特定するための一意の識別情報である。写真画像群とは、所定の１プレイにおいて作成されグループ化された複数の撮影画像のことを指す。以下、本明細書において、プレイＩＤと、写真画像群と、メールアドレスとが紐付けられたデータを「コンテンツデータ」と記載する。また、本明細書において「撮影画像」というときは、撮影により得られた画像だけでなく、撮影後に補正や編集を施したり、出力のためにサイズ変更や画質変更を施した画像を含む場合があってもよい。同様に「出力用画像」というときは、画面表示用の画像と印刷用の画像と送信用の画像とを含んでもよく、それぞれのハードウェア仕様、ソフトウェア仕様、通信仕様などの各仕様に応じてサイズ変更や画質変更を施したものをすべて含んでもよい。
【００１７】
管理サーバ３００は、遊戯用撮影装置１００から取得したコンテンツデータ（プレイＩＤ、写真画像群、遊戯用撮影装置１００で入力されたメールアドレス）や写真撮影サービスの利用履歴等のユーザ情報を管理するサーバである。管理サーバ３００は、コンテンツデータに含まれる写真画像群にアクセスするためのコンテンツアクセス情報を、当該コンテンツデータに含まれるメールアドレス宛に送信する。これにより、各ユーザが所持する端末５００は、コンテンツアクセス情報が記載されたメールを取得することができる。コンテンツアクセス情報は、例えば管理サーバ３００にアクセスするためのＵＲＬ（Uniform Resource Locator）であり、このＵＲＬの中にはプレイＩＤが含まれている。
携帯端末５００は、このメールのＵＲＬにアクセスすることにより、ＵＲＬに含まれるプレイＩＤに紐づけられた写真画像群を取得することができる。
【００１８】
ユーザは、遊戯用撮影装置１００のユーザ向けに設計され、ユーザ自身の端末装置５００にインストールされた専用の情報提示アプリケーションを用い、コンテンツアクセス情報をもとに管理サーバ３００にアクセスし、自身の端末装置５００に写真画像群をダウンロードする。ユーザは端末装置５００上で写真画像群を編集することもできる。情報提示アプリケーションは、ネットワーク２００を介して管理サーバ３００からダウンロードできる。
【００１９】
＜遊戯用撮影装置の外観＞
図２は、遊戯用撮影装置１００を左前側から見た斜視図である。図３は、図２に示す遊戯用撮影装置１００を上から見た平面図である。以下では、図２に示す前後左右の方向を基準として、他の図面も説明する。図２および図３に示すように、遊戯用撮影装置１００は、前部側の撮影部５０と後部側の編集部５１とを備え、前後方向に長いほぼ直方体状を呈している。撮影部５０の左側面または右側面にはコインの投入と撮影人数を含む撮影内容を事前設定する事前設定部４０が設けられ、編集部５１の後端には、編集後の写真の出力等をするための出力部５２が設けられている。
【００２０】
撮影部５０は、ユーザを撮影するカメラが内蔵された撮影筐体１１と、この撮影筐体１１の後方に撮影空間１０を介して配置された背景壁部１２とを有する。撮影筐体１１の側面と、背景壁部１２の側面との間の隙間が、撮影空間１０への出入口である第１出入口１０１ａ，１０１ｂを構成する。事前設定部４０は、撮影人数を含む撮影内容の設定項目を表示してユーザからの指示を受け付けるタッチパネル４１と、コインの投入口と返却口を含むコイン投入部４２を有する。事前設定部４０の筐体は、図では撮影部５０の左側面に着脱自在に取り付けた例を示すが、遊戯用撮影装置１００を設置する店舗のレイアウトに応じて左右側面のいずれかに取り付ければよい。ユーザは事前設定部４０を取り付けた側の入口から撮影空間１０へ入る。編集部５１は、背景壁部１２の後方に隣接して配置された編集筐体２１を有する。編集筐体２１には、左右の方向を向く一対の操作面が設けられる。ユーザは各操作面への入力作業をする編集空間２０ａ，２０ｂに、第２出入口２０１ａ，２０１ｂを介して入ることができる。出力部５２は、編集筐体２１の後端面と接する出力筐体３１を有する。出力筐体３１に対しては、ユーザが遊戯用撮影装置１００の後端側から操作するように、操作面が後端側を向いている。したがって、出力筐体３１の後端側の空間が、ユーザが出力操作をするための出力空間３０となる。なお、変形例として、事前設定部４０を備えない形で遊戯用撮影装置１００を構成してもよいし、編集部５１ないし編集空間２０を備えない形で遊戯用撮影装置１００を構成してもよい。
【００２１】
撮影筐体１１と背景壁部１２との上端部の側面は、前後方向に延びる天井フレーム１３によって互いに連結される。天井フレーム１３の枠内部には、撮影空間１０を上から覆い、照明およびフラッシュ照射する天井照明ユニット１４が設けられる。撮影筐体１１の左側面または右側面には、遊戯用撮影装置１００の使用方法を含む説明書きを掲示するための掲示スペース１５が設けられる。掲示スペース１５の上部には、撮影筐体１１が使用中であるか否かを示す表示部１６が設けられる。
【００２２】
表示部１６は、発光または消灯される表示灯（図示せず）を備える。表示部１６は、表示灯の発光によって撮影部５０が使用中であることをユーザに示し、消灯によって撮影部５０が空きになったことをユーザに示す。遊戯用撮影装置１００は、表示部１６が左右方向外側に突出した平面視三角形状に形成されているが、その形状は特には限定されず、凸湾曲状などのその他の形状であってもよい。
【００２３】
背景壁部１２は、撮影筐体１１とほぼ同じ幅および高さの板状部材によって形成され、撮影筐体１１の正面と対面する本体プレート１２１と、この本体プレート１２１の左右両端から前方に延設された一対のサイドプレート１２２とを有する。このため背景壁部１２は、全体として平面視コ字状に形成されている。本体プレート１２１において、撮影筐体１１を向く面には、クロマキー処理のための単一の色（例えば、青色または緑色）が着色される。着色については、本体プレート１２１に直接ペンキなどで着色するほか、着色された布地、プレート等を取付けてもよい。図示はしないが、撮影空間１０の床面には、この本体プレート１２１と連続するように、当該本体プレート１２１と同様にクロマキー処理のための単一色が着色される。撮影筐体１１の後端縁と、天井フレーム１３の下端縁と、サイドプレート１２２の前端縁とから、上述したように、撮影空間１０に出入りするための第１出入口１０１ａ，１０１ｂが構成される。
【００２４】
編集筐体２１は、左右両側から２組のユーザが同時に編集可能な対面式であり、左右それぞれに操作面が設けられる。編集筐体２１は、左右方向の長さが背景壁部１２の同方向の幅よりも短い。編集筐体２１は、その前端面を背景壁部１２の背面の中央部に接続される。編集筐体２１の左右両側方のスペースが、２組のユーザがそれぞれ編集作業を行う編集空間２０ａ，２０ｂとなる。編集筐体２１の上方には、平面視においてほぼコの字状のカーテンフレーム２２が設けられる。カーテンフレーム２２は、前後方向に延びる一対の側部フレーム２２１と、この側部フレーム２２１の後端同士を連結する左右方向に延びる後部フレーム２２２とからなる。図示はしないが、編集筐体２１の内部には、例えばＰＣ（Personal Computer）等のＣＰＵ（Central Processing Unit）を備える計算機が設置される。
【００２５】
各側部フレーム２２１の前端は、天井フレーム１３の後端に前後方向に延長状に連結され、後部フレーム２２２の中央部は、編集筐体２１の後上端部に設けられた支持部材２３によって支持される。左右一方側の側部フレーム２２１と、後部フレーム２２２のほぼ半分の長さ部分により、編集空間２０ａ，２０ｂに出入りするための前記第２出入口２０１ａ，２０１ｂの上枠部が構成される。
【００２６】
＜撮影筐体＞
図４は、撮影筐体の斜視図である。撮影筐体１１の室内側面には、撮影空間１０を前方から明るく照らすとともに、フラッシュ照射する正面照明ユニット１１５が設けられる。正面照明ユニット１１５は、中央上側のユニット部分１１５Ａと中央下側のユニット部分１１５Ｂとで構成される。中央上側のユニット部分１１５Ａおよびユニット部分１１５Ｂは、一体的に連結され、凹湾曲状に形成される。ユニット部分１１５Ａの中央には、被写体を正面から主にアップで撮影するための正面カメラ１１１が搭載される。正面カメラ１１１の下方にはタッチパネル式の正面モニタ１１３が設けられ、正面カメラ１１１で撮像される画像および撮影方法の案内が表示されるとともに、案内にしたがって入力されるユーザのタッチ操作を受け付ける。正面モニタ１１３の右側方には、被写体となるユーザの全身を側方から広角で撮影するための側方カメラ１１２が搭載される。側方カメラ１１２の下方には側方カメラ１１２で撮像される画像が表示される側方モニタ１１４が設けられる。なお、変形例として撮影空間１０の外に事前設定部４０が設置されない構成の場合、正面モニタ１１３または側方モニタ１１４の下方にコイン投入部４２を設けてもよい。また、側方カメラ１１２はタッチパネル式ではないが、変形例においては正面モニタ１１３と同様にタッチパネル式で構成してもよい。
【００２７】
＜編集筐体＞
図５は、編集筐体の斜視図である。編集筐体２１は、下部側の制御ボックス２１１と、この制御ボックス２１１の上に設けられた編集台部２１２とを有する。制御ボックス２１１の内部には、メインコンピュータユニットおよびＩ／Ｏコントローラなどの各種の制御装置が内蔵され、この制御装置が遊戯用撮影装置１００の全体の動作を制御する。
【００２８】
編集台部２１２は、左右方向を向く山形の傾斜面により形成され、各傾斜面に編集作業をするための操作面が設置される。具体的には、各操作面にはタブレットを内蔵した液晶モニタで構成された編集用モニタ２１３が設けられ、各編集用モニタ２１３の左右両側には２本のタッチペン２１４Ａ，２１４Ｂが接続される。編集用モニタ２１３はタッチパネルであり、ユーザはこのタッチペン２１４Ａ，２１４Ｂのペン先を編集用モニタ２１３の画面に接触させることにより、画面表示されたアイコンを選択する選択入力や、文字や描画の落書きをする場合の手書き入力ができる。なお、図５では、左側の編集用モニタ２１３を示すが、右側の編集用モニタ２１３も左側と同様の構造である。また、制御ボックス２１１の制御装置は、左右両側の編集用モニタ２１３への入力情報に対応する処理を個別に並列処理できる。
【００２９】
＜出力筐体＞
図６は、出力筐体の正面図である。出力筐体３１は、編集筐体２１の後端部に接する矩形状の筐体であり、後端側を向く面に操作面が設けられる。操作面の上部中央にはタッチパネル式の液晶モニタ３１１が設けられ、この液晶モニタ３１１に、出力の説明などが表示される。
【００３０】
液晶モニタ３１１の下方には非接触通信部３１２が設けられ、近接する非接触型ＩＣ（Integrated Circuit）と通信することで、非接触型ＩＣからのデータの読み出しや非接触型ＩＣにデータを書き込む。例えば、ＦｅｌｉＣａ（登録商標）などを利用できる。非接触通信部３１２の下にはシール紙排出口３１３が設けられる。シール紙排出口３１３には、編集部において編集処理を行うことによって作成した画像が印刷された写真印刷シートが排出される。そのため、出力筐体３１にはプリンタが内蔵され、プリンタは写真印刷シートを印刷する。シール紙排出口３１３の下にはスピーカ３１４が設けられ、出力処理における案内音声、ＢＧＭ、効果音等の音を出力する。なお、本実施の形態では、出力筐体３１を編集筐体２１と別体としているが、これらを一体的な筐体で構成することもできる。
【００３１】
＜遊戯用撮影装置のハードウェア構成＞
図７は、遊戯用撮影装置１００のハードウェア構成を模式的に示すブロック図である。遊戯用撮影装置１００では、バスＸを介して、制御部５３、記憶部５４、撮影部５０、事前設定部４０、編集部５１、出力部５２が電気的に接続される。制御部５３は、公知のＣＰＵ(Central Processing Unit)、ＲＯＭ(Read Only Memory)、ＲＡＭ(Random Access Memory)を備える。制御部５３では、記憶部５４に記憶されるプログラムを実行し、遊戯用撮影装置１００の全体の動作を制御する。バスＸには、通信部５５、外部ドライブ５６も接続される。なお、制御部５３、記憶部５４、通信部５５および外部ドライブ５６は、公知のコンピュータにより構成してもよく、このようなコンピュータが上述した編集筐体２１の制御ボックス２１１に内蔵される。
【００３２】
記憶部５４は、ハードディスクやフラッシュメモリなどの不揮発性の記憶媒体で構成され、制御部５３から送信された各種の設定情報を記憶する。記憶部５４に記憶される情報は制御部５３により適宜読み出される。記憶部５４には、画像の合成や編集のために用いられる各種画像データ、画像処理のためのデータが記憶される。例えば、撮影画像の背景となる背景画像データなどが記憶される。制御部５３のＲＯＭには、ファームウェアなどのプログラムや設定情報などのデータが記憶され、ＲＡＭには、制御部５３において処理するデータやプログラムが一時的に記憶される。以下では、ＲＡＭ、ＲＯＭをまとめてメモリということがある。
【００３３】
通信部５５はインターネットなどのネットワークと接続するためのインタフェースであり、制御部５３による制御にしたがって外部の装置と通信する。外部ドライブ５６は、光ディスクや半導体メモリなどのリムーバブルメディアに対する読み出しや書き込みを実行する。例えば、外部ドライブ５６によりリムーバブルメディアから読み出されたコンピュータプログラムやデータは、制御部５３に送信され、記憶部５４に記憶されたり、プログラムとしてインストールされたりする。
【００３４】
事前設定部４０は、撮影に先立ってユーザから撮影人数を含む撮影条件や撮影内容等の指示を受け取って事前設定するための装置であり、タッチパネル４１およびコイン投入部４２を含む。タッチパネル４１は、公知のタッチパネルであり、表示装置としてユーザへの案内を表示するとともに、ユーザのタッチ操作に基づく指示を受け取る。コイン投入部４２は、コイン投入口に対するコインの投入を検出する。コイン投入部４２は、プレイに要する所定の金額分（プレイ料金分）のコインが投入されたことを検出した場合、そのことを表す起動信号を制御部５３に出力する。なお、コイン投入部４２に代えて、電子マネーやクレジットカードによるプレイ料金の支払を受け付け、当該起動信号を制御部５３に出力する装置を設けてもよい。
【００３５】
撮影部５０は、撮影空間１０における撮影処理をするために、照明制御部１８、正面カメラ１１１、側方カメラ１１２、正面モニタ１１３、側方モニタ１１４、およびスピーカ１９から構成される。
【００３６】
正面カメラ１１１および側方カメラ１１２は、制御部５３による制御にしたがって被写体を撮影する。正面カメラ１１１および側方カメラ１１２は、撮像により得られる被写体の動的映像または撮影により得られた被写体の静止画像を制御部５３に出力する。上述したように、正面カメラ１１１は、被写体を正面から主にアップで撮影するためものであり、側方カメラ１１２は、被写体となるユーザの全身を側方から広角で撮影するためのものである。そのため、これらのカメラ１１１、１１２はそれぞれ、最適な画像を得るために撮影人数に応じて異なる理想的な焦点距離や画角、トリミング範囲などの設定が予め行われる。各カメラ１１１、１１２は、被写体の映像をリアルタイムに画像信号として出力する。カメラ１１１、１１２から出力された画像信号は制御部５３に入力されて、その内部のメモリに一時的に記憶される。なお、上記した例では、正面カメラ１１１は、後述する個別認証撮影やアップでの撮影用であるため被写体となるユーザの全身までは映らない範囲で焦点距離を変更可能なズームレンズが用いられる。変形例においては、正面カメラ１１１のレンズとしてより広角側の焦点距離も範囲に含むズームレンズを用いることとし、その焦点距離を変更することでアップ撮影と全身撮影の両方を行えるようにしてもよい。全身撮影を行う場合は、アップ撮影よりもズームレンズの焦点距離を短くすればよい。
【００３７】
制御部５３は、表示制御部として機能し、正面カメラ１１１で撮像される被写体映像の画像信号を正面モニタ１１３に送信するとともにタッチパネルとしての正面モニタ１１３に対するユーザの操作入力を受信し、側方カメラ１１２で撮像される被写体映像の画像信号を側方モニタ１１４に送信する。このとき、制御部５３は被写体映像にクロマキー合成により背景画像を合成した映像や静止画像を正面モニタ１１３または側方モニタ１１４に送信してもよいし、目の大きさや輪郭に変化を加える補正処理をした映像や静止画像を正面モニタ１１３または側方モニタ１１４に送信してもよい。なお、静止画像として保存される撮影画像データ（以下、単に「撮影画像」ということもある。）は高解像度の静止画データであり、ライブ映像を表示するための撮影画像データ（「スルー画像データ」とも呼ばれる。）は低解像度の動画データである場合が多いが、高解像度の動画データとしてもよい。
【００３８】
正面モニタ１１３は、正面カメラ１１１が撮像中のライブ映像をリアルタイム表示する。正面モニタ１１３はまた、正面カメラ１１１および側方カメラ１１２で撮影された静止画像としての撮影画像を表示する。側方モニタ１１４は、側方カメラ１１２が撮像中のライブ映像をリアルタイム表示するものであり、正面モニタ１１３と異なりタッチパネル式ではないモニタであるが、タッチパネル式モニタで構成してもよい。また、側方カメラ１１２および側方モニタ１１４は必須の構成でなく、正面カメラ１１１および正面モニタ１１３のみでもよい。
【００３９】
照明制御部１８は、制御部５３より供給される照明制御信号にしたがって、撮影空間１０内の正面照明ユニット１１５が照射するフラッシュを制御する。照明制御部１８は、天井照明ユニット１４および正面照明ユニット１１５の内部に設けられる電灯（ＬＥＤや蛍光灯など）を制御することで、ユーザによる撮影処理の段階に応じて撮影空間１０内の明るさを調整する。スピーカ１９は、ユーザによる撮影処理の段階に応じた音声を出力する。
【００４０】
編集部５１ａ，５１ｂは、編集空間２０ａ，２０ｂのそれぞれにおける編集処理のために設けられる。編集部５１ａおよび編集部５１ｂの機能や構成は同じであるため、以下では編集部５１ａのみを説明し、編集部５１ｂの説明を省略する。
【００４１】
編集部５１ａは、タブレット内蔵モニタとしての編集用モニタ２１３、２本のタッチペン２１４Ａ，２１４Ｂ、およびスピーカ２１５から構成される。編集用モニタ２１３は、制御部５３による制御にしたがって編集画面を表示し、編集画面に対するユーザの編集操作等を検出する。すなわち、ユーザにより、編集用モニタ２１３がタッチペン２１４Ａ，２１４Ｂでタッチされると、その操作およびタッチペン２１４Ａ，２１４Ｂのいずれでタッチされたのかが検出され、操作信号として制御部５３に送信される。これにより、ユーザは編集対象である合成画像を編集する。具体的には、編集用モニタ２１３に表示された画像に対し、例えば、文字、模様、図形などのいわゆる落書きを、タッチペン２１４Ａ，２１４Ｂなどの入力デバイスで入力する。これにより、合成画像に、落書きが重ね合わされた出力用画像が生成される。こうして生成された出力用画像に基づく画像データは、出力部５２へ送信される。
【００４２】
出力部５２は、出力空間３０において出力処理を実行する。出力部５２は、タッチパネル式の液晶モニタ３１１、非接触通信部３１２、およびスピーカ３１４を備える。その他、出力用画像を印刷するためのプリンタ３４、およびシール紙ユニット３５も備えている。プリンタ３４は、合成画像、または補正処理や編集処理によって得られた出力用画像を、プリンタ３４に装着されたシール紙ユニット３５に収納されているシール紙に印刷し、シール紙排出口３１３に排出する。非接触通信部３１２は、携帯端末との間でデータを受送信する無線通信ユニットであり、例えば例えばＢｌｕｅｔｏｏｔｈ（商標）やＮＦＣなどの近距離無線通信モジュールや、無線ＬＡＮなどの無線ネットワーク通信モジュールが含まれる。なお、編集部５１で作成された画像データは、通信部５５によってネットワークを通じて外部の画像蓄積サーバに送信される。
【００４３】
＜遊戯用撮影装置の機能構成＞
図８は、遊戯用撮影装置１００の機能構成を模式的に示す機能ブロック図である。遊戯用撮影装置１００は、事前設定部４０、撮影処理部１３０、表示制御部１３５、データ生成部１４０、データ記憶部１５０、および出力処理部１６０を含む。
【００４４】
本図は、遊戯用撮影装置１００を実現するための機能構成を示しており、その他の構成は省略している。本図において、さまざまな処理をする機能ブロックとして記載される各要素は、図７に示すハードウェアであるカメラ、ＣＰＵ、メインメモリ、その他のＬＳＩ（Large Scale Integrated circuit）で構成することができる。また、ソフトウェア的にはＲＡＭにロードされたプログラム等をＣＰＵが実行することによって実現される。したがって、これらの機能ブロックがハードウェアのみ、ソフトウェアのみ、またはそれらの組み合わせによっていろいろな形で実現できることは当業者には理解されるところであり、いずれかに限定されるものではない。
【００４５】
事前設定部４０は、撮影に先立って、被写体となるユーザの撮影人数、名前やグループ名、好みのコンテンツセット等の撮影内容をユーザの指示に基づいて事前設定する。事前設定部４０が事前設定する撮影人数としては、「２人」「３人」「大人数」のうちいずれかをユーザが選択する形で設定する。
【００４６】
撮影処理部１３０は、個別認証部１３１、撮像部１３２、画像取得部１３３を含む。撮像部１３２は、事前設定部４０から受け取るプレイ開始の指示に基づき、個別認証部１３１または画像取得部１３３による制御にしたがい、正面カメラ１１１または側方カメラ１１２により１人または複数のユーザを被写体として撮像する。個別認証部１３１は、認証用の撮影画像の取得、取得した認証用の撮影画像に対する人物検出および人物認証を実行する。個別認証部１３１は、まず正面カメラ１１１のレンズの焦点距離を、事前設定部４０により事前設定された撮影人数に応じたアップ撮影のための焦点距離となるよう制御部５３を介して制御する。個別認証部１３１は、事前設定部４０により事前設定された撮影人数が３人以内である場合に撮像部１３２により撮像される被写体について、ユーザの認証用の撮影画像を取得する。認証用の撮影画像は、事前設定された撮影人数分の画像枠が正面モニタ１１３に表示されるときに、正面モニタ１１３に映るユーザが自身の顔の位置を顔画像枠内に合わせた状態で撮影される。個別認証部１３１は、認証用の撮影画像として実際には被写体全体で１枚の撮影画像を正面カメラ１１１から取得し、その画像上で設定された人数分の顔画像枠に沿ってトリミングすることにより、人数分の人物ごとの認証用の撮影画像を得る。また、認証用の撮影前における撮像中の映像（以下、「ライブビュー」という）もまた、被写体全体を含む１つの映像から複数の顔画像枠にあたる部分を撮影人数分だけ切り出してユーザごとのライブビュー映像として表示する。一方、個別認証部１３１は、事前設定された撮影人数が３人を超える「大人数」の場合は認証用の撮影画像を取得しない。
【００４７】
個別認証部１３１は、取得した認証用の撮影画像から人物を検出する人物検出を実行する。本実施の形態における人物検出は、例えば顔検出である。個別認証部１３１は、認証用の撮影画像から、肌の色の領域や目、鼻などの器官を抽出して顔領域を検出する。個別認証部１３１は、検出した顔領域から目や鼻などの器官同士の距離や配置、大きさといった特徴量を検出し、その特徴量に基づいて各人物の特徴を特定する人物認証を実行する。
【００４８】
個別認証部１３１は、人物検出または人物認証に失敗した場合、認証用の撮影画像を再取得し、再取得した認証用の撮影画像において人物検出または人物認証を少なくとも１回、再試行する。その再試行において再び人物検出または人物認証に失敗した場合はその失敗を確定する。人物検出の失敗は、例えば画像から顔を１つも検出できない場合や、顔らしき部位を検出できたとしても目や鼻などの器官を検出できない場合である。人物認証の失敗は、例えば検出した顔から特徴量を検出できない場合や、顔の検出数より特徴量の検出数が少ない場合（３人分の顔を検出したにもかかわらず２人分の特徴量しか検出できない場合など）である。個別認証部１３１は、認証用の撮影画像をデータ記憶部１５０に一時的に記憶させる。
【００４９】
なお、変形例としては、撮影人数の事前設定を行わずに、撮影画像から撮影人数を検出し、検出した撮影人数に応じて以降の処理を実行する構成としてもよい。その場合、実際の撮影人数にかかわらず被写体全体でいったん人数検出用の撮影画像を撮影し、その人数検出用の撮影画像から人物検出により撮影人数を検出した上で、上述の画像枠を人数分だけ正面モニタ１１３に表示した上であらためて認証用の撮影画像を取得することとしてもよい。または、認証用の撮影を行うことなく、人数検出用の撮影画像を用いて人物認証を行ってもよい。あるいは、人数検出用の撮影を行うことなく、認証用の撮影前のライブビュー映像から顔を検出することで撮影人数を検出してもよい。また、顔画像枠を設定する位置は撮影人数に応じて固定的に設定するのではなく、逆にライブビュー映像から検出する顔の領域に追随する形でその顔の周囲に顔画像枠を設定することにより撮影人数分の顔画像枠を設定してもよい。
【００５０】
画像取得部１３３は、まず正面カメラ１１１のレンズの焦点距離を、事前設定部４０により事前設定された撮影人数に応じたアップ撮影の焦点距離となるよう制御部５３を介して制御する。また、画像取得部１３３は、側方カメラ１１２のレンズの焦点距離を、事前設定部４０により事前設定された撮影人数に応じた全身撮影の焦点距離となるよう制御部５３を介して制御する。撮像部１３２により撮像される被写体について、ユーザの本撮影用の撮影画像を複数回撮影して取得する。本例では、画像取得部１３３は、少なくとも５回の本撮影を実行し、５枚の撮影画像を生成する。画像取得部１３３は、取得した複数の本撮影用の撮影画像をひとまとまりの写真画像群としてデータ記憶部１５０に記憶させる。より具体的には、画像取得部１３３は、取得した複数の本撮影用の撮影画像に同一のプレイＩＤを付与し、かつ撮影画像を特定するために、各撮影画像に固有の画像識別子を付与する。
【００５１】
表示制御部１３５は、撮像部１３２により撮影中の映像（以下、「ライブビュー」という）を正面モニタ１１３または側方モニタ１１４の画面にリアルタイムで表示させる。表示制御部１３５は、認証用撮影において、被写体全体の１つのライブビューを、事前設定された撮影人数分の顔画像枠に分割して互いに間隔を空けた複数のライブビューとして正面モニタ１１３に表示させる。また表示制御部１３５は、認証用撮影において、被写体の顔を走査するように仮想的な走査線を、ライブビューにおける被写体の顔の上に重ねて表示する。顔の走査については後述する。
【００５２】
データ生成部１４０は、背景処理部１４１、補正処理部１４２、編集処理部１４３を含む。背景処理部１４１は、データ記憶部１５０に記憶される認証用の撮影画像および複数の本撮影用の撮影画像それぞれについて、撮影画像における被写体と背景画像を既知のクロマキー合成技術により合成する。すなわち背景処理部１４１は、撮影画像における被写体と、それ以外の領域である背景領域とを区別するための背景情報（クロマキーマスク）を２値化画像またはグレースケールの画像、あるいはそれらを圧縮したデータとして生成し、その背景情報を用いて被写体を背景から抽出した画像を取得する。認証用の撮影画像について背景処理部１４１は、その被写体のみの画像を、あらかじめ定められた背景画像、例えば白、グレー、黒といった単一の無彩色が一面に施された背景画像と合成する。本撮影用の撮影画像について背景処理部１４１は、その被写体のみの画像を、事前設定したユーザの好みの背景画像と合成する。被写体のみの画像および背景画像と合成した合成画像はデータ記憶部１５０に記憶される。本撮影用の撮影画像については、後の編集処理において被写体のみの画像に別の背景画像を合成してあらたな合成画像を生成し直すこともできる。背景処理部１４１は、撮像部１３２により撮影中のライブビュー映像からリアルタイムに被写体を抽出して背景画像を合成して表示制御部１３５により表示させる処理をしてもよい。
【００５３】
補正処理部１４２は、本撮影用の撮影画像における人物検出および人物認証を実行するとともに、本撮影用の撮影画像に対する補正を実行する。本撮影用の撮影画像における人物検出は、例えば認証用の撮影画像における人物検出と同様の顔検出である。補正処理部１４２は、本撮影用の撮影画像から、肌の色の領域や目、鼻などの器官を抽出して顔領域を検出する。本撮影用の撮影画像における人物認証は、認証用の撮影画像における人物認証と同様の処理および人物特定の処理を含む。より具体的には、まず本撮影用の撮影画像における人物検出により検出した顔領域から目や鼻などの器官同士の距離や配置、大きさといった人物ごとの特徴量を検出する。その人物ごとの特徴量を、あらかじめ認証用の撮影画像における人物認証によって特定されてデータ記憶部１５０に一時的に記憶させたユーザごとの特徴量と照合し、その照合結果に基づいて本撮影用の撮影画像に含まれる人物がどのユーザであるかを特定する処理が「人物特定」である。例えば、あらかじめ特定して記憶するユーザごとの特徴量の情報がＡとＢの２つある場合、本撮影用の撮影画像から特定された人物ごとの特徴量がそれぞれＡとＢのどちらに相対的に近似するかを照合する。これにより、本撮影用の撮影画像に含まれる人物ごとにどのユーザであるかを特定する。
【００５４】
本撮影用の撮影画像に対する補正は、目の色や大きさ、顔の輪郭、肌の色や質感等を変化させる処理であり、本撮影後の編集処理（特に落書きの処理）に先立ち、本撮影用の撮影画像に対して実行される。補正処理の方法は、撮影人数によって異なり、また、アップ撮影による画像か全身撮影による画像かによっても異なる。まず、撮影人数が３人以内であった場合、補正処理部１４２は、本撮影用の撮影画像から検出する人物がどのユーザであるかを特定する人物特定の結果に基づいて人物ごとに個別の補正を実行する。すなわち、事前設定された撮影人数が３人以内であった場合であって、認証用の撮影画像および本撮影用の撮影画像における人物検出および人物認証に成功した場合に、ユーザごとに事前設定された好みに応じて選択される補正方法にて人物ごとの個別の補正を実行する。なお、一部の人物のみ人物の特定が成功した場合は成功した人物の分だけ個別の補正を実行する形でもよい。撮影人数が３人を超える場合、補正処理部１４２は、本撮影用の撮影画像に含まれる各人物に対して同じ補正を実行する。撮影人数が大人数の場合は認証用の撮影画像を取得しておらず、人物認証および人物特定に基づく個別の補正の設定はなされないためである。この場合、補正処理部１４２は本撮影用の撮影画像において人物検出を実行して複数の人物を検出し、その各人物に対してユーザに選択された同じ補正方法にて補正を実行する。
【００５５】
補正方法の選択は、本撮影後における編集処理の前にユーザの指示にしたがってなされる。ユーザが選択し得る補正項目の種類は撮影人数に応じて異なり、撮影人数が２人の場合は３項目を選択でき、３人の場合は２項目を選択でき、大人数（３人を超える）の場合は１項目のみ選択できる。補正処理部１４２は、事前設定された撮影人数が３人以内であった場合でも、人物検出または人物認証に失敗していた場合は、撮影人数が３人を超える場合と同様に本撮影用の撮影画像に含まれる各人物に対して同様の補正を施す。この場合の補正項目の種類も、撮影人数に対応したものとする。すなわち、撮影人数が２人であれば３項目を選択でき、３人であれば２項目を選択できる。
【００５６】
補正方法の選択に関するユーザの指示を受け付ける画面においては、ユーザが選択中の選択肢に対応する補正をユーザの画像に即時に仮反映させるプレビュー画像を表示する。撮影人数が３人以内の場合は、その人数と同数のプレビュー画像を表示し、撮影人数が３人を超える「大人数」の場合は被写体全体で１枚のプレビュー画像を表示する。プレビュー画像としては、撮影人数が３人以内であって人物検出および人物認証に成功していた場合はユーザごとの認証用の撮影画像を用い、撮影人数が３人を超える「大人数」の場合は認証用の撮影画像が取得されていないので複数撮影された本撮影用の撮影画像からプレビューに適した１枚、例えばアップ撮影による画像を用いる。一方、撮影人数が３人以内であって人物検出または人物認証に失敗していた場合は、被写体全体に対する補正方法を選択させるため、失敗した認証用の撮影画像ではなく、複数撮影された本撮影用の撮影画像からプレビューに適した１枚を用いる。なお、認証用の撮影画像はユーザごとに顔が含まれるように撮影されるが、顔ないし人物の周囲もマージンとして含む形で撮影されるため、プレビュー画像としては余分なマージンが除かれるようにトリミングされた画像が用いられる。
【００５７】
補正方法の選択は、アップ撮影による画像と全身撮影による画像とで区別せずに共通の設定としてユーザに選択させるが、実際に施される補正の手法としてはアップ撮影による画像と全身撮影による画像とで相違する。例えば、アップ撮影による画像と全身撮影による画像とでは画像に写る目をはじめとする部位の大きさが異なり、顔ないし全身の印象に影響する目の印象度の割合も異なるため、目の拡大率などの設定値を僅かに変えている。この設定値の違いは、撮影人数を問わず、すなわち個別の補正か全体の補正かを問わず設けられる。
【００５８】
編集処理部１４３は、落書きと呼ばれる編集処理を実行するとともに、データ記憶部１５０に記憶される複数の撮影画像を含む写真画像群と、個別認証部１３１により特定されるユーザを識別するためのプレイＩＤとを紐付けたコンテンツデータを生成する。コンテンツデータには、背景処理部１４１が取得した背景情報や遊戯用撮影装置１００の識別情報も含めてもよい。編集処理部１４３は、画像取得部１３３が一連の写真画像群を撮影する度（１プレイごと）に、コンテンツデータを生成する。コンテンツデータは、画像取得部１３３が生成したプレイＩＤを用いて一意に特定することができる。
【００５９】
編集処理部１４３は、背景処理部１４１による背景画像の合成と補正処理部１４２による補正処理がなされた撮影画像を編集対象画像とし、その編集対象画像に対して編集処理を実行する。編集処理は複数の編集対象画像に対して個別に実行されるとともに、複数のユーザからのそれぞれの指示に基づいて複数の編集対象画像に対して同時並行的に実行され得る。複数のユーザからの指示は、タッチペン２１４を用いた編集用モニタ２１３に対するユーザの編集操作、例えば使用する編集機能を選択する選択操作や編集入力の対象となる編集対象画像に対して位置を指定する入力操作により入力される。編集処理部１４３は、編集対象画像に対してユーザの指示に応じてスタンプ画像や文字を重畳する落書き処理と印刷レイアウトの決定を実行し、複数の出力用画像を生成し、これをデータ記憶部１５０に記憶させる。
【００６０】
出力処理部１６０は、印刷処理部１６１、無線出力部１６２、送信出力部１６３を含む。印刷処理部１６１は、データ記憶部１５０に記憶された複数の出力用画像をプリンタ３４によりシール紙に印刷する。無線出力部１６２は、非接触通信部３１２を介してユーザの端末へ複数の出力用画像を送信する。送信出力部１６３は、ネットワークを介して管理サーバ３００へすべての出力用画像を送信する。送信出力部１６３は、プレイの終了後にタッチパネル上に表示されるキーボードに、ユーザによって入力されたメールアドレス等の個人を特定する情報を受け付ける。送信出力部１６３は、入力されたメールアドレスおよびプレイＩＤと対応させて出力用画像を管理サーバ３００にアップロードし、ユーザによって後に出力用画像をダウンロードさせることができる。管理サーバ３００は、メールアドレスおよびプレイＩＤと対応させる形で出力用画像を記憶し、そのメールアドレス宛にそのメールアドレスに対応づけられたプレイＩＤを引数として含んだＵＲＬをコンテンツアクセス情報として送信する。ユーザは、受信したコンテンツアクセス情報のＵＲＬに携帯電話等の端末装置５００でアクセスすることにより、所定の画像取得ウェブサイト内の自身の出力用画像をダウンロードできるページを開くことができ、ダウンロードが可能となる。また、シール紙には、出力用画像とともにプレイＩＤが印刷され、ユーザはそのプレイＩＤを所定の画像取得ウェブサイトに入力することによっても、自身の出力用画像をダウンロードできるページを開くことができ、ダウンロードが可能となる。なお、ユーザが無料会員としてメールアドレスを登録している場合は、管理サーバ３００にアップロードされた複数の出力用画像のうち自身が選択した画像が取得可能なページを開くことができる。ユーザが有料会員としてメールアドレスを登録している場合は、管理サーバ３００にアップロードされた複数の出力用画像のすべてが取得可能なページを開くことができる。
【００６１】
図９は、事前設定から本撮影までの過程を示すフローチャートである。まず事前設定部４０のタッチパネル４１にユーザがタッチ操作をしてスタートし、撮影人数の選択、名前の入力、および背景画像の選択を事前設定としてユーザがタッチ操作で入力する（Ｓ１００）。「２人コース」が選択された場合（Ｓ１０１）、２人のユーザに対して認証用撮影をする旨の案内を正面モニタ１１３に表示し（Ｓ１０４）、正面カメラ１１１による２人用のユーザの認証用撮影を実行する（Ｓ１０５）。この撮影中に正面モニタ１１３にリアルタイム表示されるユーザの画像としては、リアルタイムに合成処理されるプレビュー画像として仮想的な走査線で走査される画像を表示する他、所定の背景画像または事前設定された背景画像を合成した画像を表示してもよい。また、認証用撮影において人物検出または人物認証に失敗した場合、個別認証部１３１は認証用撮影を少なくとも１回再試行し、人物検出または人物認証に再び失敗した場合にその失敗を確定する。「３人コース」が選択された場合（Ｓ１０２）、３人のユーザに対して認証用撮影をする旨の案内を正面モニタ１１３に表示し（Ｓ１０７）、正面カメラ１１１による３人用のユーザの認証用撮影を実行する（Ｓ１０８）。認証用撮影において人物検出または人物認証に失敗した場合、個別認証部１３１は認証用撮影を少なくとも１回再試行し、人物検出または人物認証に再び失敗した場合にその失敗を確定する。「大人数コース」が選択された場合（Ｓ１０３）、認証用撮影は行わない（Ｓ１０４，Ｓ１０５，Ｓ１０７，Ｓ１０８をスキップ）。事前設定および認証用撮影の後、本撮影として正面カメラ１１１によりアップの画像を３回撮影する（Ｓ１０６）。
【００６２】
アップ撮影の後、横にある側方モニタ１１４へ誘導する案内を正面モニタ１１３に表示してユーザを側方モニタ１１４の方向へ向かせ（Ｓ１１０）、ユーザの立ち位置に関する案内を側方モニタ１１４に表示し（Ｓ１１１）、本撮影として側方カメラ１１２によりユーザの全身画像を２回撮影する（Ｓ１１２）。
【００６３】
この時点でのプレイの残り時間を参照し（Ｓ１２０）、残り時間があれば（Ｓ１２１）、ユーザにボーナスショット撮影を提供して、Ｓ１２０に戻り（Ｓ１２２）、残り時間がなければ（Ｓ１２３）、落書きブース（編集空間２０）へ誘導する案内を正面モニタ１１３に表示し（Ｓ１２４）、２箇所ある編集空間２０ａ，２０ｂのいずれへ移動すべきかを案内し（Ｓ１２５）、落書きブースへ移動する（Ｓ１２６）。
【００６４】
図１０は、補正および編集の過程を示すフローチャートである。補正（「レタッチ」ともいう）の案内画面を編集用モニタ２１３に表示する（Ｓ２００）。この案内画面は、「２人コース」、「３人コース」、「大人数コース」のいずれが選ばれていたかで、その内容が変わる。そして事前設定で２人コースが選ばれていた場合は（Ｓ２０１）、「テイスト選択」（Ｓ２０２）、「仕上がり選択」（Ｓ２０３）、「明るさ選択」（Ｓ２０４）の３項目についてユーザは好みを選択でき、「落書き準備中」を表示させるとともに好みの選択に基づく補正を本撮影用の撮影画像（Ｓ１０６で取得された３枚のアップ撮影画像およびＳ１０７で取得された２枚の全身撮影画像）に施す（Ｓ２０５）。事前設定で３人コースが選ばれていた場合は（Ｓ２１０）、「テイスト選択」（Ｓ２１１）と「明るさ選択」（Ｓ２１２）の２項目についてユーザは好みを選択でき、「落書き準備中」を表示させるとともに好みの選択に基づく補正を本撮影用の撮影画像に施す（Ｓ２０５）。３人の場合は２人の場合に比べて個別の好みの選択に時間を要するため、２人コースに比べて補正項目数を減らしている。事前設定で大人数コースが選ばれていた場合は（Ｓ２２０）、「目の大きさ、明るさ選択」（Ｓ２２１）の１項目についてのみユーザは好みを選択でき、「落書き準備中」を表示させるとともに好みの選択に基づく補正をすべての本撮影用の撮影画像に施す（Ｓ２０５）。大人数コースの場合は人数分の好みを選択させるだけの時間的な余裕がないため、ユーザごとの個別の選択ではなく全員について一括して指定できる１項目のみについて選択させる趣旨である。
【００６５】
「落書き準備中」から落書きの本編へ移行し（Ｓ２３０）、ユーザからの指示に基づいて、補正が施された複数の本撮影用の撮影画像に対して編集処理を実行した後、印刷レイアウトとして分割レイアウト選択や大きく印刷する写真の選択をユーザの指示に基づいて設定し（Ｓ２３２）、出力空間３０への移動案内を編集用モニタ２１３に表示し（Ｓ２３３）、出力空間３０（「出口コーナー」ともいう）へ誘導する（Ｓ２３４）。
【００６６】
図１１は、出力処理の過程を示すフローチャートである。１人目のユーザが複数の出力用画像の中から一つ選択させる画面（送信画像選択画面）を表示する（Ｓ３２０）。そして、１人目のユーザのメールアドレスを入力させる画面（メールアドレス入力画面）を表示する（Ｓ３２１）。続いて、２人目のユーザ用の送信画像選択画面を表示し（Ｓ３２２）、２人目のユーザ用のメールアドレス入力画面を表示する（Ｓ３２３）。３人目のユーザがいる場合は（Ｓ３２４のＹ）、３人目のユーザ用のメールアドレス入力画面を表示する（Ｓ３２５）。さらに４人目のユーザがいる場合は（Ｓ３２６のＹ）、４人目のユーザ用のメールアドレス入力画面を表示する（Ｓ３２７）。３人目がいない場合はＳ３２５からＳ３２７までスキップし（Ｓ３２４のＮ）、４人目がいない場合はＳ３２７をスキップする（Ｓ３２６のＮ）。
【００６７】
「プリント準備中」を液晶モニタ３１１に表示しながら出力用画像をシール紙に印刷する（Ｓ３２８）。このとき、編集が完了したすべての本撮影用の撮影画像の写真画像群が管理サーバ３００へアップロードされる。最後に印刷が完了したことを液晶モニタ３１１に表示して終了する（Ｓ３２９）。
【００６８】
図１２は、事前設定部４０のタッチパネル４１に表示される受付画面の例を示す。受付画面では、まずコインの入力を促し、コインの入力があった後、図示するように撮影人数の選択をユーザに促す。画面には２人コースを示す「２人」、３人コースを示す「３人」、大人数コースを示す「大人数」のボタンがそれぞれ表示され、ユーザがいずれかを選択してタッチ操作することで撮影人数が事前設定される。
【００６９】
図１３は、事前設定部４０のタッチパネル４１に表示される名前入力画面の例を示す。名前入力画面では、図１２で選択された撮影人数に対応する画面構成にて名前入力のための入力欄およびキーボードが表示される。ここでいう「名前」は、撮影画像の編集処理において用いることを目的としてユーザに入力を求める文字情報である。名前入力画面で入力された文字情報は、例えば本撮影で使用される背景画像やらくがき本編で使用されるスタンプ、印刷シートのデザインの一部として用いられる。図１３（ａ）は撮影人数として「２人」が選択された場合の画面例であり、左右に２つの名前入力欄およびキーボードが表示され、２人のユーザが左右で同時並行的にニックネームなどの名前を入力でき、一人一人入力させる場合に比べて入力時間を節減できる。ここで、個別の名前入力ではなく全員で一つのグループ名を入力する名前入力画面への切り替えをユーザが希望する場合は入力切替ボタン６１０をタッチ操作することで、図１３（ｂ）のグループ名入力画面に切り替えることができる。図１３（ｂ）は撮影人数として「３人」または「大人数」が選択された場合の画面例であり、入力欄およびキーボードは中央に一つだけ表示され、個別の名前ではなくグループ名を入力できる。ここで、グループ名の入力ではなく２人用の名前入力画面への切り替えをユーザが希望する場合は入力切替ボタン６１１をタッチ操作することで、図１３（ａ）の名前入力画面に切り替えることができる。なお、切り替えを行う直前の画面において、すでに入力されていた名前については、記憶しておき、再度切り替えが行われた際には、その記憶しておいた名前がすでに入力状態となっている画面を表示してもよい。
【００７０】
図１４は、撮影人数が２人の場合の個別認証撮影における画面例を示す。図１４（ａ）のように、２人分の顔画像枠６２０を左右に並べて正面モニタ１１３の画面に表示する。このとき「枠の中に入って撮影してね。」といった文字列を表示することにより、２人のユーザに対して２つの顔画像枠６２０にそれぞれ顔が収まるように立ち位置の調節を促す。２つの顔画像枠６２０は少し間隔をあけて表示することにより、２人のユーザにも互いに顔が重ならないような間隔で立ち位置を調節させるよう促すことができる。２人のユーザが所定の立ち位置に立ったとき、図１４（ｂ）のように撮像部１３２で撮像される２人のユーザのライブビュー映像をそれぞれ顔画像枠６２０内にリアルタイム表示する。このとき、実際のライブビューとしては、撮影人数分の顔画像枠６２０を包含する全体ライブビュー枠６３０に１つのライブビューを表示するとともに、顔画像枠６２０以外の部分にグレーのフィルタが重なるような形状の透明度のあるフィルタ画像を前面レイヤーに合成する。これにより撮影人数分の顔画像枠６２０だけが撮影人数分のクリアなライブビューとして表示されるとともに、それ以外の部分は暗い半透明で薄く表示される。ユーザは顔画像枠６２０以外の部分も視認できるため、ユーザに自身の顔を顔画像枠６２０に収めるためにどのように動けばよいかを把握しやすくすることができる。この点、図１４（ａ）ではまだライブビューを表示しておらず、認証用撮影の説明を表示する画面であるため、半透明のフィルタ画像は表示していない。全体ライブビュー枠６３０を横長の枠としているのは、複数のユーザの認証用撮影を１回の撮影で行えるよう撮影人数分の顔画像枠６２０を横並びで配置するためである。また、２人のユーザの顔が大きく表示されるように、本撮影における撮影画像より拡大した表示倍率にて表示する。ここで、本撮影においては後述するように縦長の撮影画像となるように正面カメラ１１１により縦長の画角で撮影するが、認証用撮影においても同じ正面カメラ１１１を使用するため、認証用撮影のライブビュー映像も本来は縦長の映像となる。そのため、縦長の映像を拡大した上で図１４のように横長の画角で切り出して全体ライブビュー枠６３０に嵌めて表示している。また、顔画像枠６２０に表示される顔画像の上に仮想的な走査線６２１を重ね、上から下に走査しているように走査線６２１を顔画像枠６２０の上端から下端へ移動させて表示する。これにより、ユーザの顔を上から下まで走査しながら特徴量を検出して人物認証をしているかのように見せることができる。その上で図１４（ｃ）のように「カメラを見て」「正面を向いてカメラを見てね。」といった文字列を表示することにより、ユーザを正面カメラ１１１の方向に顔を向けさせるよう促すことができ、その状態で認証用の画像を撮影して撮影画像を取得する。
【００７１】
変形例として、顔画像枠６２０に含まれる顔ないし人物の領域のうち走査線６２１が通過した領域には、その顔ないし人物の領域の映像にグレーの前景画像を重ね合わせて影のように見せることで、走査済であることを表現してもよい。この場合の前景画像は、例えば走査線６２１を顔画像枠６２０の上端から下端に移動させるのと同時に被写体のクロマキーマスクを逐次生成するとともに、クロマキーマスク上で走査線６２１が重なる位置のＹ座標を取得する。その上で、取得したＹ座標より上部のクロマキーマスクを抽出して顔画像枠６２０に含まれる顔ないし人物の画像の前景として重ね、半透明のアルファブレンディングにより逐次合成する。これにより、暗い影のような半透明の前景画像が顔ないし人物の領域のうち走査線６２１が通過した部分にだけ掛かった映像が逐次得られる。また、ユーザの顔を走査する際に人物検出をリアルタイムに実行する構成としてもよい。その場合、ライブビュー映像上で人物検出を試行してユーザの顔が正面を向いていて人物検出が可能であることを確認したタイミングから走査線６２１を顔画像枠６２０の上端から移動開始させてもよい。また、顔画像枠６２０の移動開始後もライブビュー映像上で人物検出が不能となればそのタイミングで走査線６２１の移動を中止させることとしてもよい。そのようなライブビュー映像上の人物検出および走査線６２１の移動は、複数の顔画像枠６２０のそれぞれにおいて個別のタイミングで実行してもよい。認証用の撮影後は撮影した１枚の画像から２つの顔画像枠６２０の部分を切り出すことによって２枚の認証用の撮影画像を取得し、図１４（ｄ）のように２枚の認証用の撮影画像（以下、認証用撮影画像）を表示することで、認証用の撮影完了をユーザに示す。
【００７２】
図１５は、撮影人数が３人の場合の個別認証撮影における画面例を示す。図１５（ａ）のように、３人分の顔画像枠６２０を横方向に並べて正面モニタ１１３の画面に表示する。このとき「枠の中に入って撮影してね。」といった文字列を表示することにより、３人のユーザに対して３つの顔画像枠６２０にそれぞれ顔が収まるように立ち位置の調節を促す。３つの顔画像枠６２０は少し間隔をあけて表示することにより、３人のユーザにも互いに顔が重ならないような間隔で立ち位置を調節させるよう促すことができる。３人のユーザが所定の立ち位置に立ったとき、図１５（ｂ）のように撮像部１３２で撮像される３人のユーザのライブビュー映像をそれぞれ顔画像枠６２０内にリアルタイム表示する。このとき、３人のユーザの顔が大きく表示されるように、本撮影における撮影画像より拡大した表示倍率にて表示する。また、顔画像枠６２０に表示される顔画像の上に仮想的な走査線６２１を重ね、上から下に走査しているように走査線６２１を顔画像枠６２０の上端から下端へ移動させて表示する。これにより、ユーザの顔を上から下まで走査しながら特徴量を検出して人物認証をしているかのように見せることができる。その上で図１５（ｃ）のように「カメラを見て」「正面を向いてカメラを見てね。」といった文字列を表示することにより、ユーザを正面カメラ１１１の方向に顔を向けさせるよう促すことができ、その状態で認証用の画像を撮影して撮影画像を取得する。認証用の撮影後は撮影した１枚の画像から３つの顔画像枠６２０の部分を切り出すことによって３枚の認証用撮影画像を取得し、図１５（ｄ）のように３枚の認証用撮影画像を表示することで、認証用の撮影完了をユーザに示す。
【００７３】
図１６は、本撮影におけるアップ撮影の画面例を示す。図１６（ａ）のように、正面カメラ１１１で撮像する２人のユーザのアップでの映像を正面モニタ１１３の画面内のアップ撮影枠６２２にリアルタイム表示し、図１６（ｂ）のように「カメラを見てね」といった文字表示と「３」「２」「１」といった数字のカウントダウン値６２３を表示することにより、ユーザを正面カメラ１１１の方向へ向けさせて本撮影を実行する。本撮影の実行により取得された撮影画像は図１６（ｃ）のようにアップ撮影枠６２２に静止画として表示するとともに、アップ撮影枠６２２の下方にて横方向に並ぶ複数の撮影済画像枠６２４に本撮影のたびに撮影画像を左から順次表示していく。
【００７４】
図１７は、本撮影における全身撮影の画面例を示す。本図のように側方カメラ１１２で撮像する２人のユーザの全身が写った映像を側方モニタ１１４の画面内の全身撮影枠６２５にリアルタイム表示し、図１７（ｂ）のように「撮影するよ！」といった文字表示と「３」「２」「１」といった数字のカウントダウン値を表示することにより、ユーザを側方カメラ１１２の方向へ向けさせて本撮影を実行する。本撮影の実行により取得された撮影画像は図１６（ｃ）のように正面モニタ１１３の撮影済画像枠６２４に本撮影のたびに撮影画像を左から順次表示していく。
【００７５】
図１８は、撮影人数が２人の場合における補正方法の選択画面例を示す。上述の通り、撮影人数が２人の場合、選択画面は左右２つに分割され、ユーザごとに左画面と右画面に分かれてそれぞれ「テイスト選択」「仕上がり選択」「明るさ選択」の３項目について好みを選択できる。
【００７６】
図１８（ａ）は「テイスト選択」の補正項目の選択画面であり、左画面と右画面に分かれたユーザごとのプレビュー画像枠６２６に顔画像が表示され、ユーザごとに選択肢ボタン６２７が表示される。ここでいう「テイスト」は、目や輪郭等の部分を補正する方法に関する一種の「方向性」を指し、「テイスト」ごとに補正方法に関して異なる方向性の選択肢のセットがあらかじめ定義されている。ここでは「テイスト」として「かわいい」「キレイ」「ナチュラル」の３通りの方向性が選択肢ボタン６２７として表示され、２人のユーザがそれぞれの好みでいずれかを個別に選択できる。まず、この選択画面に切り替わったとき、初期的に選択肢ボタン６２７のいずれかが選択状態で表示される。初期的に選択状態となるボタンは、例えば最も上に位置するボタンであってもよいし、遊戯用撮影装置１００のお勧めする補正に対応するボタンであってもよい。また、ユーザの顔立ちを、プレビュー画像枠６２６に表示される顔画像から画像分析した結果に基づいていずれかのボタンが自動選択されてもよい。例えば、顔立ちの画像分析の結果、「幼い顔」と判断した場合は、実際とは逆の「キレイ」を選択し、「大人っぽい顔」と判断した場合は、実際とは逆の「かわいい」を選択するなど、分析結果とボタン種類との対応関係が「テイスト」の初期選択の基準としてあらかじめ規定されていてもよい。この場合、左画面において初期的に選択状態になるボタンは、左画面における顔画像の顔分析結果に基づいて決定され、右画面において初期的に選択状態になるボタンは、右画面における顔画像の分析結果に基づいて決定される。
選択状態となった「テイスト」に対応する内容の補正を仮反映させたプレビュー画像としての顔画像をプレビュー画像枠６２６に表示することで、ユーザは補正を仮に反映させた結果を即時に確認することができる。ユーザが他のボタンを選択し直すと、あらたに選択した「テイスト」に対応する補正を仮反映させたプレビュー画像がプレビュー画像枠６２６に表示される。左画面で選択した「テイスト」は左画面のプレビュー画像枠６２６にのみ仮反映され、右画面で選択した「テイスト」は右画面のプレビュー画像枠６２６にのみ仮反映される。顔画像を左右で入れ替えたい場合は、入替ボタン６３１を押すことで左画面と右画面の顔画像を入れ替えることができる。左右を入れ替える場合、それまで仮反映させていた補正をキャンセルして初期値に戻すこととしてもよいし、それまで仮反映させていた補正を維持したまま入れ替えることとしてもよい。このように仮の補正結果を確認しながら選択し、最後の「ＯＫ」ボタンを押すと「テイスト」選択が確定する。左画面と右画面の一方の画面で「ＯＫ」ボタンが押されれば、入替ボタン６３１が使用不能（例えば、画面から消去）になるとともに押された側の「テイスト」の選択だけが確定してその半分の画面が図１８（ｂ）の半分の画面に差し替わって次の「仕上がり」の選択に移り、他方の画面は引き続き「テイスト」を選択できる。このように、図１８（ｂ）までは左右で独立してユーザごとに補正の選択を進行させる。これにより、補正の選択を効率化してプレイ時間の短縮を図ることができる。
また、左画面と右画面が同じ選択画面（左画面と右画面が共に、「テイスト」選択画面か「仕上がり」選択画面）であるときに限り、入替ボタン６３１を使用可能にしているので、操作の煩雑化を低減することができる。
【００７７】
図１８（ｂ）は「仕上がり選択」の補正項目の選択画面であり、左画面と右画面に分かれたユーザごとのプレビュー画像枠６２６に顔画像が表示され、ユーザごとに選択肢ボタン６２７が表示される。この画面に切り替わったとき、初期的には図１８（ａ）の画面で確定した「テイスト」に対応する内容の補正を施した顔画像に、「仕上がり」の選択画面において初期的に選択されている補正がさらに施された顔画像がプレビュー画像枠６２６に表示されている。ここでいう「仕上がり」は、目と輪郭に対する異なる補正方法を指し、目と輪郭のそれぞれについて３つずつの選択肢ボタン６２７が表示される。２人のユーザについて画面を左右に分けてそれぞれに選択肢が表示されるが、図１８（ａ）の画面でユーザごとに選択した「テイスト」の種類に応じて異なる選択肢が表示される。例えば左画面を操作する第１のユーザが「テイスト」として「かわいい」を選択した場合は、図１８（ｂ）の左画面には「かわいい」に対応する目の大きさや色の選択肢が３つ表示され、「かわいい」に対応する輪郭の形の選択肢が３つ表示される。右画面を操作する第２のユーザが「テイスト」として「キレイ」を選択した場合は、図１８（ｂ）の右画面には「キレイ」に対応する目の大きさや色の選択肢が３つ表示され、「キレイ」に対応する輪郭の形の選択肢が３つ表示される。プレビュー画像枠６２６に初期的に表示されるプレビュー画像は、初期値として一番左に表示された第１の目の選択肢と第１の輪郭の選択肢の補正が反映されたプレビュー画像であり、他の選択肢を選択し直すたびにあらたな選択肢に対応する補正が反映されたプレビュー画像に切り替わる。左画面での選択は左画面のプレビュー画像枠６２６にのみ仮反映され、右画面での選択は右画面のプレビュー画像枠６２６にのみ仮反映される。顔画像を左右で入れ替えたい場合は、入替ボタン６３１を押すことで左画面と右画面の顔画像を入れ替えることができる。左右を入れ替える場合、それまで仮反映させていた「仕上がり」に関する補正をキャンセルして初期値に戻すこととしてもよいし、それまで仮反映させていた補正を維持したまま入れ替えることとしてもよい。なお、変形例として、ユーザの顔立ちを画像分析して顔の面積に対する目の大きさに応じて初期的に選択する目の選択肢を決定してもよい。例えば、顔の面積に対して目が大きいと判断した場合は「目１」（あまり目の大きさを変えない補正）を選択し、顔の面積に対して目が小さいと判断した場合は「目３」（目の大きさをかなり大きくする補正）を選択してもよい。また、ユーザの顔立ちを画像分析して顔の輪郭の形や縦横比に応じて初期的に選択する輪郭の選択肢を決定してもよい。例えば、顔の形や縦横比から丸みのある輪郭と判断した場合は「輪郭１」（輪郭をかなり細くする補正）を選択し、顔の形や縦横比から細めの輪郭と判断した場合は「輪郭３」（輪郭の細さをあまり変えない補正）を選択してもよい。最後に「ＯＫ」ボタンを選択することで「仕上がり」の選択が確定する。左画面と右画面の一方の画面で「ＯＫ」ボタンが押されれば押された画面の選択肢だけが確定し、他方の画面は引き続き選択できる。この時、入替ボタンが６３１使用不能（例えば、画面から消去）になる。ただし、左右一方の画面で「ＯＫ」ボタンが押されただけでは図１８（ｃ）の画面への切り替えはなく、左右の両画面とも「ＯＫ」ボタンが押されたときに図１８（ｃ）の画面へ切り替わる。
【００７８】
図１８（ｃ）は「明るさ選択」の補正項目の選択画面であり、ユーザごとのプレビュー画像枠６２６に顔画像が表示される。具体的には、図１８（ａ）、（ｂ）で確定された補正が施された顔画像に、「明るさ」の選択画面において初期的に選択されている補正がさらに施された顔画像がプレビュー画像として表示される。ここでいう「明るさ」は、肌の色や質感の明るさを指し、濃い色と質感から薄い色と質感にわたって５段階に分けた５つの選択肢ボタン６２７を表示する。本図の例では撮影人数にかかわらず画面はユーザごとに分割されておらず、選択肢ボタン６２７はユーザごとではなくユーザ全体でまとめて表示されて一つを選択する。ユーザがいずれかの段階のボタンを選択すると、両方のプレビュー画像が、そのボタンに対応する補正が反映されたプレビュー画像に切り替わる。最後に「ＯＫ」ボタンを選択することで「明るさ」の選択が確定する。
【００７９】
図１８（ａ）〜（ｃ）のプレビュー画像枠６２６に表示される顔画像は、個別認証部１３１により取得された認証用撮影画像およびその画像をベースとして選択された補正が仮反映されたプレビュー画像である。図１８（ａ）に示す選択画面の初期状態としては、図１４（ｄ）の左側の顔画像枠６２０に表示されている認証用撮影画像が、左画面のプレビュー画像枠６２６に表示され、右側の顔画像枠６２０に表示されている認証用撮影画像が、右画面のプレビュー画像枠６２６に表示される。補正項目の選択が確定した場合、左の顔画像（左画面に表示された認証用撮影画像）に対して選択された補正は、本撮影に係る複数の撮影画像において、左の顔画像と同一人物を人物認証で特定した上でその人物の顔に対して実行される。同様に、右の顔画像（右画面に表示された認証用撮影画像）に対して選択された補正は、本撮影に係る複数の撮影画像において、右の顔画像と同一人物を人物認証で特定した上でその人物の顔に対して実行される。このように、図１８（ｂ）において個別に選択された補正は、図１８（ｂ）の「ＯＫ」ボタンが押されたときに、人物検出および人物認証の結果に基づいて抽出されるすべての同一人物に対して自動的に実行される。図１８（ｃ）において選択された補正は図１８（ｃ）の「ＯＫ」ボタンが押されたときに、本撮影に係る撮影画像に含まれるすべての人物に対して実行される。
なお、本例では、図１８（ａ）〜（ｃ）の各選択画面において、「ＯＫ」ボタンが押されるたびに、本撮影に係る複数の撮影画像に対して補正を実行するようにしたが、図１８（ｃ）において、「ＯＫ」ボタンが選択された際、すなわち最後の選択が完了した際に、図１８（ａ）〜（ｃ）の選択画面で確定した補正をまとめて実行するようにしてもよい。
【００８０】
ここでもし、認証用撮影画像を取得する際に人物検出または人物認証に失敗していた場合は、そもそも認証用撮影画像の撮影自体に失敗していたか、または認証用撮影画像からユーザの特徴が認識できない。よって、適切な認証用撮影画像がない可能性がある上に、少なくとも本撮影用の撮影画像において２人のユーザを区別することはできない。その場合、図１８（ａ）および（ｂ）のようにユーザごとに別々に補正項目を選択させるのではなく、図１８（ｃ）のようにユーザ全体で一つを選択する方式を採る。ユーザが選択し得る補正項目の種類はあくまで撮影人数に対応しており、例えば撮影人数が２人の場合は図１８図（ａ）〜（ｃ）の３項目のままである。プレビュー画像枠６２６に表示する適切な認証用撮影画像はないため、代わりに本撮影の撮影画像を表示するとともに、表示する撮影画像としては本撮影で撮影した複数の撮影画像に含まれる複数枚の画像を並べる形であってもよい。
【００８１】
図１９は、撮影人数が３人の場合における補正方法の選択画面例を示す。上述の通り、撮影人数が３人の場合、選択画面は横方向に３つに分割され、ユーザごとに左画面、中画面、右画面に分かれてそれぞれ「テイスト選択」「明るさ選択」の２項目についてユーザは好みを選択でき、２人の場合と異なり「仕上がり選択」が含まれない。「仕上がり」、すなわち目や輪郭を３人分選択させると徒に時間を要する可能性があるため、ユーザごとに「仕上がり」を個別選択させずに、選択された「テイスト」に基づいて自動的に目や輪郭を決定することでユーザごとの補正を実行する。
【００８２】
図１９（ａ）は「テイスト選択」の補正項目の選択画面であり、左画面、中画面、右画面に分かれたユーザごとのプレビュー画像枠６２６に顔画像が表示され、ユーザごとに選択肢ボタン６２７が表示される。「テイスト」として「かわいい」「キレイ」「ナチュラル」の３通りの方向性が選択肢ボタン６２７として表示され、３人のユーザがそれぞれの好みでいずれかを個別に選択できる。この選択画面に切り替わったとき、初期的に選択肢ボタン６２７のいずれかが選択状態で表示される。左画面で選択した「テイスト」は左画面のプレビュー画像枠６２６にのみ仮反映され、中画面で選択した「テイスト」は中画面のプレビュー画像枠６２６にのみ仮反映され、右画面で選択した「テイスト」は右画面のプレビュー画像枠６２６にのみ仮反映される。左画面と中画面で顔画像を入れ替えたい場合は入替ボタン６３１ａを押し、中画面と右画面で顔画像を入れ替えたい場合は入替ボタン６３１ｂを押すことで顔画像を入れ替えることができる。左画面と右画面で顔画像を入れ替えたいときは、入替ボタン６３１ａ、入替ボタン６３１ｂ、入替ボタン６３１ａの順、または、入替ボタン６３１ｂ、入替ボタン６３１ａ、入替ボタン６３１ｂの順で３回押すことで顔画像を入れ替えることができるが、変形例として左画面と右画面で顔画像を１回で直接入れ替えるための入替ボタンを別途設置してもよい。左画面、中画面、右画面のいずれかの画面で「ＯＫ」ボタンが押されれば押された画面の選択肢だけが確定し、他の画面は引き続き選択でき、左、中、右のすべてで「ＯＫ」ボタンが押されたときに図１９（ｂ）の画面へ切り替わる。
【００８３】
図１９（ｂ）は「明るさ選択」の補正項目の選択画面であり、ユーザごとのプレビュー画像枠６２６に顔画像が表示される。この画面に切り替わったとき、初期的には図１９（ａ）の選択画面で確定した補正が反映されたプレビュー画像に、「明るさ」の選択画面において初期的に選択されている補正がさらに施された顔画像がプレビュー画像としてプレビュー画像枠６２６に表示されている。撮影人数にかかわらず画面はユーザごとに分割されておらず、選択肢ボタン６２７はユーザごとではなくユーザ全体でまとめて表示されて一つを選択する。プレビュー画像枠６２６に初期的に表示されるすべてのプレビュー画像は、初期値として中央に表示された「おすすめ」の補正が反映されたプレビュー画像である。他の選択肢を選択し直すたびに、すべてのプレビュー画像が、あらたな選択肢に対応する補正が反映されたプレビュー画像に切り替わる。最後に「ＯＫ」ボタンを選択することで「明るさ」の選択が確定する。
【００８４】
図１９（ａ）（ｂ）のプレビュー画像枠６２６に表示される顔画像は、個別認証部１３１により取得された認証用撮影画像およびその画像をベースとして選択された補正が仮反映されたプレビュー画像である。図１９（ａ）に示す選択画面の初期状態としては、図１５（ｄ）の左側の顔画像枠６２０に表示されている認証用撮影画像が、左画面のプレビュー画像枠６２６に表示され、真ん中の顔画像枠６２０に表示されている認証用撮影画像が、中画面のプレビュー画像枠６２６に表示され、右側の顔画像枠６２０に表示されている認証用撮影画像が、右画面のプレビュー画像枠６２６に表示される。図１９（ａ）において３人の顔画像（左画面、中画面および右画面のそれぞれに表示された認証用撮影画像）に対して個別に選択された補正は、図１９（ａ）の「ＯＫ」ボタンが押されたときに、それぞれ本撮影に係る複数の撮影画像から同一人物として人物認証で特定した人物の顔に対して実行される。図１９（ｂ）においてユーザ全体について選択された補正は、図１９（ｂ）の「ＯＫ」ボタンが押されたときに、本撮影に係る撮影画像に含まれるすべての人物に対して実行される。
【００８５】
もし、認証用撮影画像を取得する際に人物検出または人物認証に失敗していた場合は、図１９（ａ）のようにユーザごとに別々に補正項目を選択させるのではなく、図１９（ｂ）のようにユーザ全体で一つを選択する方式を採る。ユーザが選択し得る補正項目の種類はあくまで撮影人数に対応しており、撮影人数が３人の場合は図１９（ａ）（ｂ）の２項目のままである。プレビュー画像枠６２６に表示する適切な認証用撮影画像はないため、代わりに本撮影の撮影画像を表示するとともに、表示する撮影画像としては本撮影で撮影した複数の撮影画像に含まれる複数枚の画像を並べる形であってもよい。
【００８６】
図２０は、撮影人数が「大人数」の場合における補正方法の選択画面例を示す。上述の通り、撮影人数が「大人数」の場合、「目の大きさ、明るさ選択」の１項目についてユーザは好みを選択でき、２人の場合と３人の場合のどちらよりも補正項目が少ない。「大人数」の場合、個別認証は行われず認証用撮影画像がそもそもないため、プレビュー画像枠６２６に表示される画像は本撮影用の撮影画像およびその画像をベースとして選択された補正が仮反映されたプレビュー画像である。本図の例では、肌の色や質感の明るさと、目の大きさや色について、ユーザ全体で一つずつを選択できる。このようにユーザ全体について選択された補正はその確定時（「ＯＫ」ボタンが選択された際）に、本撮影に係る複数の撮影画像に含まれる各人物に対して施される。
【００８７】
図２１は、印刷シートデザインを選択する画面の例を示す。図２１（ａ）に示す通り、画面上部には複数のタブ６２８が表示される。本図においては「タブＡ」「タブＢ」「タブＣ」「タブＤ」「タブＥ」の５種類のタブ６２８が表示される例が示される。ユーザがいずれかのタブ６２８を選択すると、表示される印刷シートデザイン６３２の種類が切り替わる。タブ６２８の種類としては、本図では「タブＡ」「タブＢ」「タブＣ」「タブＤ」「タブＥ」と表記しているが、より具体的な例として「切れている分割」「トレンド分割」「３人４人用分割」「細かい分割」「記念日分割」といった５種類のタブが表示される。各タブには、タブごとに異なる分割方法に合わせてレイアウトされた複数の印刷シートデザイン６３２が含まれ、補正および編集により生成された複数の出力用画像がシートデザイン画像上にそのレイアウトに沿って配置されて構成される複数の印刷シートデザイン６３２の画像がサムネイル形式で表示される。いずれかのタブをユーザが選択するとともに、選択中のタブに表示された複数の印刷シートデザイン６３２のうちいずれかのサムネイルをユーザが選択すると、選択した印刷シートデザイン６３２を実寸大に拡大した画像がプレビュー画像枠６２９に表示され、ユーザは印刷シートデザイン６３２の内容を確認することができる。
【００８８】
いずれかの印刷シートデザイン６３２のレイアウトに沿って複数の出力用画像が配置された印刷シートを印刷したユーザは、そのレイアウトごとの分割方法にしたがって印刷シートを分割するように切断し、一緒に撮影した者たちでシートを分け合うことができる。分割のレイアウトとしては、２人で分け合いやすいものから大人数で分け合いやすいものまで種々のデザインが用意され、タブを切り替えることによりユーザの好みで他の分割方法も選択できる。図２１の例は、「切れている分割」すなわち主に２人で分けやすくレイアウトされたデザインであり、画面は左右二つに分けられ、ユーザごとに印刷シートデザイン６３２のレイアウトや画像を確認できる。このように確認しながら、いずれかのタブに分類される複数の印刷シートデザイン６３２の種類からユーザごとにいずれかを好みで選択する。
【００８９】
右画面を操作するユーザが「ＯＫ」ボタンを押して印刷シートデザインの選択を確定すると、図２１（ｂ）のように右画面の印刷シートデザインおよびプレビュー画像枠６２９が消去され、「となりの人が選び終わるまで待ってね。」といった文字を表示することで、右ユーザの待機と左ユーザの選択を促す。
【００９０】
図２２は、タブごとの印刷シートデザインの例を示す。撮影人数に応じて、タブ６２８の種類の並び順および初期的に選択されるタブ６２８の種類が異なり、初期的には一番左に配置されたタブ６２８が選択された状態で表示される。例えば撮影人数が２人の場合（２人コースが選ばれた場合）、左から順に「切れている分割」「トレンド分割」「３人４人用分割」「細かい分割」「記念日分割」の並び順でタブ６２８が表示され、一番左の「切れている分割」が初期的に選択された状態で表示される。図２２（ａ）のタブに示す「切れている分割」と、図２２（ｂ）のタブに示す「トレンド分割」は、いずれも左右で２人で分けやすいレイアウトで構成される複数の印刷シートデザイン６３２が含まれており、撮影人数が２人のときに優先される並び順に表示される。図２２（ｅ）のタブに示す「３人４人用分割」は、撮影人数が３人または４人のときの分割に適したレイアウトで構成される複数の印刷シートデザイン６３２が含まれており、撮影人数が３人以上の場合（３人コースが選ばれた場合）に優先される並び順に表示される。同様に、図２２（ｃ）のタブに示す「細かい分割」は、撮影人数が５人や６人のときの分割に適したレイアウトで構成される複数の印刷シートデザイン６３２が含まれている。そのため、撮影人数が３人または大人数の場合（大人数コースが選ばれた場合）は左から順に「３人４人用分割」「細かい分割」「切れている分割」「トレンド分割」「記念日分割」の並び順でタブ６２８が表示され、一番左の「３人４人用分割」が初期的に選択された状態で表示される。図２２（ｄ）のタブ「記念日分割」は、ユーザが所定の「記念日」に該当する特別な状況にある場合にユーザが好みで選択するレイアウトであり、いつでも優先的に表示されるべき位置づけのレイアウトではないためつねに一番右に表示される。
【００９１】
（第２実施形態）
本実施形態における遊戯用撮影装置は、主に女性の友達同士で撮影するコースと男女のカップルで撮影するコースとで分かれる機能を有する点で第１実施形態と相違する。以下、第１実施形態との相違点を中心に説明し、共通点の説明は省略する。
【００９２】
図２３は、事前設定の過程を示すフローチャートである。第１実施形態における図９の「事前設定」に相当する。まず事前設定部４０のタッチパネル４１にユーザがタッチ操作をしてスタートし、コース選択として女性同士で撮影する「友達」コースと、男女同士で撮影する「カップル」コースのいずれかを選択する（Ｓ４００）。「友達」コースを選択した場合は撮影人数として「２人」または「３人以上」のいずれかを選択し（Ｓ４０２）、「２人」であれば人数分だけ名前を入力し、「３人以上」であればグループ名を入力する（Ｓ４０４、Ｓ４０６）。「カップル」コースを選択した場合は撮影人数は２人で固定であるためＳ４０２の撮影人数の入力はなく、２人分の名前を入力する（Ｓ４０８、Ｓ４１０）。次に「友達」「カップル」いずれの場合も背景画像を選択し（Ｓ４１２）、「友達」の場合は友達用のオーナメントを選択し（Ｓ４１４）、友達用のカラーおまけ撮影の内容を選択する（Ｓ４１６）。「オーナメント」は、背景画像に付加する装飾画像であり、背景画像ごとに付加するオーナメントを選択できる。「カラーおまけ撮影」は、撮影の最後のおまけとして実行される付加的な撮影であり、ユーザは好きなテーマ色とそのテーマ色が全体的に施された枠デザインの組合せを選択できる。「カップル」の場合はカップル用のオーナメントを選択し（Ｓ４１８）、カップル用のカラーおまけ撮影の内容を選択する（Ｓ４２０）。次に「友達」「カップル」いずれの場合も撮影待ちのデモを表示し（Ｓ４２２）、ジングルを再生し（Ｓ４２４）、撮影空間１０が空いたときに撮影空間１０へ移動する案内画面を表示する（Ｓ４２６）。
【００９３】
図２４は、撮影空間における撮影の過程を示すフローチャートである。まず正面モニタ１１３のタッチパネルにユーザがタッチ操作をしてスタートする。「友達」コースの撮影人数「２人」または「カップル」コースが選択されている場合、２人のユーザに対して認証用撮影をする旨の案内を正面モニタ１１３に表示して正面カメラ１１１による２人用のユーザの認証用撮影を実行する（Ｓ４４０）。この撮影中に正面モニタ１１３にリアルタイム表示されるユーザの画像としては、リアルタイムに合成処理されるプレビュー画像として仮想的な走査線で走査される画像を表示する他、所定の背景画像または事前設定された背景画像を合成した画像を表示してもよい。また、認証用撮影において人物検出または人物認証に失敗した場合、個別認証部１３１は認証用撮影を少なくとも１回再試行し、人物検出または人物認証に再び失敗した場合にその失敗を確定する。「友達」コースの撮影人数「３人以上」が選択されている場合はＳ４４０をスキップして認証用撮影は行わない。
【００９４】
次に、本撮影としてユーザの立ち位置に関する案内を正面カメラ１１１に表示した後、正面カメラ１１１によりアップの画像を３回撮影する（Ｓ４４２）。アップ撮影の後、横（斜め上）にある側方モニタ１１４へ誘導する案内を正面モニタ１１３に表示してユーザを側方モニタ１１４の方向へ向かせ、ユーザの立ち位置に関する案内を側方モニタ１１４に表示した後、本撮影として側方カメラ１１２によりユーザの全身画像を２回撮影する（Ｓ４４４）。さらに「カラーおまけ撮影」として正面カメラ１１１によりアップの画像を１回撮影する（Ｓ４４６）。
【００９５】
この時点でのプレイの残り時間を参照し（Ｓ４４８）、残り時間があれば、ユーザにボーナスショット撮影を提供してＳ４４８に戻り（Ｓ４５０）、残り時間がなければ落書きブース（編集空間２０）へ誘導する案内を正面モニタ１１３に表示して２箇所ある編集空間２０ａ，２０ｂのいずれへ移動すべきかを案内し（Ｓ４５２）、落書きブースへ移動する。
【００９６】
図２５は、補正および編集の過程を示すフローチャートである。補正（レタッチ）の案内画面を編集用モニタ２１３に表示する（Ｓ４７０）。この案内画面は、「友達」コースの撮影人数「２人」、「友達」コースの撮影人数「３人以上」、「カップル」コースのいずれが選ばれていたかで、その内容が変わる。そして事前設定で「友達」コースの撮影人数「２人」が選ばれていた場合は「テイスト選択」（Ｓ４７２）、「仕上がり選択」（Ｓ４７４）、「明るさ選択」（Ｓ４７６）の３項目についてユーザは好みを選択でき、「落書き準備中」を表示させるとともに好みの選択に基づく補正を本撮影用の撮影画像（Ｓ４４２で取得された３枚のアップ撮影画像およびＳ４４４で取得された２枚の全身撮影画像）に施す（Ｓ４８６）。事前設定で「友達」コースの撮影人数「３人以上」が選ばれていた場合は「目の大きさ、明るさ選択」の１項目についてのみユーザは好みを選択でき（Ｓ４７８）、「落書き準備中」を表示させるとともに好みの選択に基づく補正を本撮影用の撮影画像に施す（Ｓ４８６）。撮影人数が３人以上の場合は人数分の好みを選択させるだけの時間的な余裕がないため、ユーザごとの個別の選択ではなく全員について一括して指定できる１項目のみについて選択させる趣旨である。事前設定で「カップル」コースが選ばれていた場合は、「友達」コースの撮影人数「２人」と同様に「テイスト選択」（Ｓ４８０）、「仕上がり選択」（Ｓ４８２）、「明るさ選択」（Ｓ４８４）の３項目についてユーザは好みを選択でき、「落書き準備中」を表示させるとともに好みの選択に基づく補正を本撮影用の撮影画像に施す（Ｓ４８６）。ただし、この場合の「テイスト選択」「仕上がり選択」「明るさ選択」は「友達」コースの場合と内容が異なる（詳細は後述する）。
【００９７】
「落書き準備中」から落書きの本編へ移行し（Ｓ４８８）、ユーザからの指示に基づいて、補正が施された複数の本撮影用の撮影画像に対して編集処理を実行した後、印刷レイアウトとして分割レイアウト選択や大きく印刷する写真の選択をユーザの指示に基づいて設定し（Ｓ４９０）、出力空間３０への移動案内を編集用モニタ２１３に表示し（Ｓ４９２）、出力空間３０（「出口コーナー」ともいう）へ誘導する（Ｓ４９４）。
【００９８】
図２６は、出力処理の過程を示すフローチャートである。複数の出力用画像の中から一つをモバイル画像として送信するか否かを選択させる画面を表示し（Ｓ５００）、送信を選択した場合には複数の出力用画像の中から一つをモバイル画像として選択させる画面を表示し（Ｓ５０２）、ユーザのメールアドレスを入力させる画面を表示する（Ｓ５０４）。「プリント準備中」を液晶モニタ３１１に表示しながら出力用画像をシール紙に印刷する（Ｓ５０６）。このとき、編集が完了したすべての本撮影用の撮影画像の写真画像群が管理サーバ３００へアップロードされる。最後に印刷が完了したことを液晶モニタ３１１に表示して終了する（Ｓ５０８）。
【００９９】
図２７は、事前設定部４０のタッチパネル４１に表示される受付画面の例を示す。受付画面では、まずコインの入力を促し、コインの入力があった後、図２７（ａ）のように「ＦＲＩＥＮＤ」（友達コース）または「ＣＯＵＰＬＥ」（カップルコース）の選択をユーザに促す。選択肢の枠内には、友達同士で撮影された画像のサンプルと、カップル同士で撮影された画像のサンプルが表示される。ユーザがいずれかを選択すると、選択した方の枠が図２７（ｂ）のように強調表示される。以降の事前設定は、第１実施形態の図１２、１３と同様である。
【０１００】
図２８は、カップルコースを選択した場合の個別認証撮影における画面例を示す。図２８（ａ）のように、２人分の顔画像枠６２０を左右に並べて正面モニタ１１３の画面に表示するとともに、枠の左側には女性画像見本６４０および「女の子用」の文字を表示することにより、顔画像枠６２０の左枠が女性用の枠であることを示す。枠の右側には男性画像見本６４１および「男の子用」の文字を表示することにより、顔画像枠６２０の右枠が男性用の枠であることを示す。顔画像枠６２０の左側の枠および女性画像見本６４０の枠は女性用であることを強調するためにピンク色が施されており、顔画像枠６２０の右側の枠および男性画像見本６４１の枠は男性用であることを強調するために水色が施されている。画面の上部には「枠の中に入って撮影してね。」といった文字列を表示することにより、男女カップルのユーザに対して男女で区別された枠にそれぞれ顔が収まるように立ち位置の調節を促す。このように、男女の枠を先に左右に分けて固定的に表示し、それぞれの性別に合うようにユーザが立ち位置を決めるよう促すことで、撮影するどちらの人物が女性で、どちらの人物が男性であるかを容易に区別することができる。変形例においては、撮影する映像に含まれる人物ごとの顔などの特徴や身長の違いといった特徴から男女のどちらであるかを画像認識で識別して、その識別結果に応じて男女の枠を左右に自動的に配置してもよい。また図２８の例では２つの顔画像枠６２０を同じ高さの位置に設定する例を示しているが、変形例においては女性用の顔画像枠６２０を男性用の顔画像枠６２０より相対的に低くなるようにそれぞれの位置の高さを設定してもよい。男性の顔の位置より女性の顔の位置の方が低い場合が多いためであり、また、男性用の顔画像枠６２０の位置が低いと男性ユーザが枠に収まるために斜めに立ってしまうおそれがあり、その場合、人物検出の精度に影響が生じるおそれがあるためである。ただし、そうした枠の位置も、映像に含まれる顔の位置を識別し、その識別結果に応じて自動的に最適な高さに設定することとしてもよい。高さだけでなく水平位置や枠の大きさに関しても識別結果に応じて最適な位置または大きさに設定することとしてもよい。
【０１０１】
ここで、本図の例では左が女性、右が男性である例を示したが、左が男性、右が女性となるように表示する場合があってもよい。例えば、次に使用される編集空間が左側の編集空間２０ａである場合には左を女性、右を男性とし、逆に、次に使用される編集空間が右側の編集空間２０ｂである場合には右を女性、左を男性とするよう決定してもよい。すなわち、次に向かわせる編集空間への出口側に女性を立たせるように女性用および男性用の顔画像枠６２０をそれぞれ表示させる。これは、男性よりも女性の方が本装置での遊戯に慣れている場合が多く、女性の方が男性よりも率先して先導する形で編集空間へ向かう可能性が高いと考えられるためであり、出口に近い側を女性とする方が動線として効率的であるとの考え方に基づく。
【０１０２】
撮影部５０の左側面および右側面のいずれに事前設定部４０が設けられているかに応じて、女性用および男性用の顔画像枠６２０を左右のいずれに表示するかを設定してもよい。例えば、図３のように撮影部５０の左側面に事前設定部４０が設けられている場合は、女性用の顔画像枠６２０を右に設定し、男性用の顔画像枠６２０を左に設定する。これは、女性の方が男性よりも先に撮影空間１０に入る確率が高く、撮影空間１０における初期の立ち位置は、女性が右で男性が左となることが多いと考えられるためである。女性用の顔画像枠６２０を右に設定し、男性の顔画像枠を左に設定しておくことにより、ユーザに立ち位置の変更をさせる確率を低くすることができる。一方、撮影部５０の右側面に事前設定部４０が設けられている場合は、左画像に設けられている場合とは逆で、女性用の顔画像枠６２０を左に設定し、男性用の顔画像枠６２０を右に設定する。これにより、上述したのと同様の効果を得ることができる。
【０１０３】
ところで、図３の遊戯用撮影装置１００は、背景壁部１２の前側に撮影筐体１１が配置された撮影部５０を備えているが、撮影筐体１１と背景壁部１２との位置関係が図３とは逆である撮影部を備える遊戯用撮影装置も存在する。具体的には、図３の背景壁部１２の位置に撮影筐体１１が配置され、撮影筐体１１の位置に背景壁部１２が配置された遊戯用撮影装置である。このような遊戯用撮影装置では、撮影部の左側面に事前設定部が設けられている場合は、女性用の顔画像枠６２０を左に設定し、男性用の顔画像枠６２０を右に設定する。撮影部の右側面に事前設定部が設けられている場合は、女性用の顔画像枠６２０を左に設定し、男性用の顔画像枠６２０を右に設定する。
【０１０４】
図２８（ａ）においては、２つの顔画像枠６２０は少し間隔をあけて表示することにより、２人のユーザにも互いに顔が重ならないような間隔で立ち位置を調節させるよう促すことができる。２人のユーザが所定の立ち位置に立ったとき、図２８（ｂ）のように撮像部１３２で撮像される２人のユーザのライブビュー映像をそれぞれ顔画像枠６２０内にリアルタイム表示する。図２８（ａ）で表示していた女性画像見本６４０と男性画像見本６４１はすぐに消去され、ユーザの視線を女性画像見本６４０や男性画像見本６４１ではなく顔画像枠６２０に注目させる。
【０１０５】
図２８（ｂ）（ｃ）におけるライブビューの表示方法や仮想的な走査線６２１の表示方法は第１実施形態と同様である。ただし、左側の顔画像枠６２０に表示される人物には女性用の補正がリアルタイムに施され、右側の顔画像枠６２０に表示される人物には男性用の補正がリアルタイムに施される。例えば、女性用の補正は肌の色を白に近づけるようにより明るくする補正であるのに対して、男性用の補正は女性用の補正より補正の度合いを小さくするといった違いがある。ただし、ライブビュー映像に施される補正は、後述の図２８（ｄ）の認証用撮影画像またはレタッチ画面で表示される認証用撮影画像に施される補正とは異なり、相対的に度合いの弱い補正であるため、以下「弱補正」と呼ぶ。ライブビュー映像に対する補正は、映像を構成する多数のフレームのそれぞれに順次リアルタイムに施す必要があるため、認証用撮影画像のような静止画に対する補正よりも画像処理負担が大きく、ハードウェア構成によっては処理が間に合わないおそれがある。したがって、ライブビュー映像に施す補正は認証用撮影画像に施す補正より負荷の軽い「弱補正」の処理に留める。例えば、肌の色調を変更する程度に留めて、顔の輪郭や目の大きさを変更するといった形状変更の処理をしないこととしてもよい。
【０１０６】
また、図２８におけるライブビューの例では、全体として一つである映像に対して人物ごとに異なる弱補正を施しているが、変形例においては、左右の顔画像枠６２０の部分でそれぞれ切り出し、完全に分離する形でそれぞれの映像をライブビューとして表示してもよい。この場合、例えばそれぞれの人物の顔画像に対して顔の輪郭や目の大きさを変更する弱補正をするような場合であっても、それぞれの形状変更が互いに引っ張り合って画像に歪みが生じるといった干渉のおそれがない。また、左右の顔画像枠６２０として部分的に相互に重なる範囲を抽出するような場合であっても分離して別個に表示させるためそれぞれに別個の弱補正を施すことができる。
【０１０７】
認証用の撮影で得られた２枚の認証用撮影画像は、図２８（ｄ）のように表示される。この画面では認証用撮影画像を表示するだけでなく、性別確認の画面を兼ねている。すなわち、「性別をチェックしてね」といった文字列を表示するとともに左右どちらのユーザが女性で、どちらのユーザが男性であるかを確定させる。顔画像枠６２０の左側には「女」の文字とともに女性表示６４２を配置し、顔画像枠６２０の右側には「男」の文字とともに男性表示６４３を配置し、この配置で正しければユーザはＯＫボタン６４４をタッチして性別を確定し、正しくなければＮＧボタン６４５をタッチする。ＮＧボタン６４５には「（入れかえ）」と書かれているように、左右の男女を入れさせる機能を持たせる。ユーザがＮＧボタン６４５をタッチした場合には図２８（ｅ）のように顔画像枠６２０の左側に男性表示６４３、右側に女性表示６４２が配置されるように左右を入れ替える。このとき、左側の顔画像枠６２０の枠色は男性用を示す水色に変更されてその枠内の人物には男性用の補正が施され、右側の顔画像枠６２０の枠色は女性用を示すピンク色に変更されてその枠内の人物には女性用の補正が施される。ユーザがＮＧボタン６４５をタッチするたびに左右の男女の表示、枠色などの枠の設定（枠の位置、高さ、大きさを含んでもよい）、補正の種類が入れ替えられ、ＯＫボタン６４４がタッチされたときに確定する。変形例としては、女性表示６４２と男性表示６４３を入れ替えるのではなく、女性表示６４２と男性表示６４３を固定したまま２枚の認証用撮影画像の位置を左右で入れ替えて女性表示６４２の側に女性用の補正を施し、男性表示６４３の側に男性用の補正を施すこととしてもよい。別の変形例としては、上記の性別確認を図２９にて後述する補正方法の選択画面におけるいずれかの段階で実行してもよい。認証用撮影において人物検出に失敗した場合に、個別認証部１３１が認証用撮影を少なくとも１回再試行し、人物検出に再び失敗した場合にその失敗を確定する点は第１実施形態と同様である。
【０１０８】
図２９は、カップルコースの場合における補正方法の選択画面例を示す。カップルコースでは撮影人数が２人であるため、選択画面は左右２つに分割され、ユーザごとに左画面と右画面に分かれてそれぞれ「テイスト選択」「仕上がり選択」「明るさ選択」の３項目について好みを選択できる。
【０１０９】
図２９（ａ）は「テイスト選択」の補正項目の選択画面であり、左画面と右画面に分かれたユーザごとのプレビュー画像枠６２６に顔画像が表示され、ユーザごとに選択肢ボタン６２７が表示される。ここで、友達コースでは第１実施形態における図１８の選択画面と同様であり、カップルコースでも基本的には第１実施形態における図１８の選択画面と同様である。ただし、男女によって補正したい「テイスト」の方向性は通常異なるため、カップルコースでは男性と女性で異なる選択肢を提示する。男性用の「テイスト」としては「キリッと」「ナチュラル」の２通りの方向性、女性用の「テイスト」としては「かわいい」「キレイ」の２通りの方向性が選択肢ボタン６２７として表示され、男女別々の好みでいずれかを個別に選択できる。全体的には女性用の「テイスト」の方が相対的に補正の強度が強く、男性用の「テイスト」の方が相対的に補正の強度が弱い。ただし、男性用の補正では髭の剃り跡を消す補正を強くするなど、部分的に女性より補正強度を高める処理をしてもよい。また、女性でも「ナチュラル」のように強度が小さい補正を好む場合があるため、女性用の「テイスト」に「ナチュラル」を加えて女性用の項目数が男性用より多くなるようにしてもよい。左画面で選択した「テイスト」は左画面のプレビュー画像枠６２６に仮反映され、右画面で選択した「テイスト」は右画面のプレビュー画像枠６２６に仮反映される。
【０１１０】
編集空間におけるユーザの立ち位置に合わせて顔画像を左右で入れ替えたい場合は、入替ボタン６３１を押すことで左画面と右画面の顔画像を入れ替えることができる。すなわち、入替ボタン６３１は図２８のような男女の性別表示を入れ替えるボタンではないが、変形例として入替ボタン６３１に代え、男女の性別表示および補正の種類を入れ替えて性別を確定させるボタンを設けてもよい。左右の顔画像を入れ替える場合、それまで仮反映させていた補正をキャンセルして初期値に戻すこととしてもよいし、それまで仮反映させていた補正を維持したまま入れ替えることとしてもよい。本図では左に「男性」、右に「女性」となる配置で表示しているが、男女でどちらが左でどちらが右に表示されるかは、そのときに使用される編集空間が編集空間２０ａと編集空間２０ｂのどちらであるかに応じて決定される。例えば、正面カメラ１１１に向かって左側に設置される編集空間２０ａが使用されるときは、図２９の画面にいう右側が女性、左側が男性となるように決定され、正面カメラ１１１に向かって右側に設置される編集空間２０ｂが使用されるときは、図２９の画面にいう左側が女性、右側が男性となるように決定される。男女のカップルで本装置の遊戯をする場合、男性が不慣れな場合が想定され、撮影空間１０から女性が先導するように編集空間２０に向かうことが考えられる。その場合、撮影空間１０から編集空間２０に向かったときにつねに女性が奥側となるように編集空間２０での男女の立ち位置を決定している。これにより、編集空間２０における自然な男女の立ち位置に合致させることができ、立ち位置の変更や図２９の画面における左右の入れ替えの手間を省くことができ、時間短縮を図ることができる。
【０１１１】
このように仮の補正結果を確認しながら選択し、最後の「ＯＫ」ボタンを押すと「テイスト」選択が確定する。左画面と右画面の一方の画面で「ＯＫ」ボタンが押されれば、入替ボタン６３１が使用不能（例えば、画面から消去）になるとともに押された側の「テイスト」の選択だけが確定してその半分の画面が図２９（ｂ）の半分の画面に差し替わって次の「仕上がり」の選択に移り、他方の画面は引き続き「テイスト」を選択できる。このように、図２９（ｂ）までは左右で独立してユーザごとに補正の選択を進行させる。これにより、補正の選択を効率化してプレイ時間の短縮を図ることができる。
【０１１２】
図２９（ｂ）は「仕上がり選択」の補正項目の選択画面であり、左画面と右画面に分かれたユーザごとのプレビュー画像枠６２６に顔画像が表示され、ユーザごとに選択肢ボタン６２７が表示される。ここで表示される選択肢ボタン６２７の種類および項目数は男女で異なる。女性用の選択肢ボタン６２７としては目と輪郭と小鼻に対する３種類の補正方法を提示するが、男性用の選択肢ボタン６２７は目と輪郭に対する２種類の補正方法しか提示しない。男性用の補正方法が女性用より少ないのは、男性の方が本装置における遊戯に不慣れな場合が多く、女性よりも選択に時間を要するおそれがあり、時間短縮を図るためである。一方、男性用と女性用とで補正の種類としては同じ「目」「輪郭」の選択肢が用意されるが、その補正の内容および強度は、図２９（ａ）で選択したテイストの種類によって異なるだけでなく、男性用と女性用とで補正の強度等が異なる。例えば、女性用の補正の選択肢としては、「テイスト」として「かわいい」を選択していれば「かわいい」に対応する目の大きさや輪郭の形、小鼻の形の選択肢が３つずつ表示され、「キレイ」を選択していれば「キレイ」に対応する目の大きさや輪郭の形、小鼻の形の選択肢が３つずつ表示される。男性用の補正の選択肢としては、「テイスト」として「キリッと」を選択していれば「キリッと」に対応する目の大きさや輪郭の形の選択肢が３つずつ表示され、「ナチュラル」を選択していれば「ナチュラル」に対応する目の大きさや輪郭の形の選択肢が３つずつ表示される。
【０１１３】
変形例として、男性用の項目には「髪の量」「眉毛」といった男性特有の項目、女性用の項目には「リップ」といった化粧の項目に含まれるような女性特有の項目を設けてもよい。また、本実施の形態では肌の色に関しては、後述の図２９（ｃ）における「明るさ選択」において補正するが、変形例においては「仕上がり選択」の項目の一つとして「肌の色」を設けて肌の色だけを抽出して補正しつつ、「明るさ選択」では画像全体の色調を補正することとしてもよい。他の変形例としては、女性用の選択肢が項目ごとに３段階の選択を用意するのに対し、男性用の選択肢は項目ごとに２段階の選択にするなど、女性より男性の方が選択肢の段階数が少なくなるようにしてもよい。遊戯に不慣れな男性の方が選択の検討に時間を要する可能性が高いだけでなく、補正に対するこだわりも女性より低い場合が多いと考えられ、むしろ補正に対して違和感を覚える男性ユーザに配慮するためである。このことから、別の変形例においては、男性用の「テイスト選択」「仕上がり選択」の選択肢として「ナシ」「スキップ」「キャンセル」など、補正を施さないという選択肢を設けてもよいし、「テイスト選択」「仕上がり選択」自体を設けない仕様としてもよい。「テイスト選択」「仕上がり選択」の一方または双方を設けない場合、その項目に対応する補正自体を実行しないこととしてもよいし、男性ユーザによる選択を経ることなしに最適な補正または平均的な補正を自動的に実行することとしてもよい。その場合、図２９のような男女で分割した画面ではなく、女性のみを表示する画面構成としてもよい。
【０１１４】
最後にユーザが「ＯＫ」ボタンを選択することで「仕上がり」の選択が確定する。左右の両画面とも「ＯＫ」ボタンが押されたときに図２９（ｃ）の画面へ切り替わる。また、別の変形例においては、女性用の「仕上がり選択」の項目を、女性が化粧をする順序に沿って並べてもよい。この場合、女性が補正項目を選択していく順序に違和感を生じさせにくくなる。
【０１１５】
図２９（ｃ）は「明るさ選択」の補正項目の選択画面であり、ユーザごとのプレビュー画像枠６２６に顔画像が表示される。具体的には、図２９（ａ）、（ｂ）で確定された補正が施された顔画像に、「明るさ」の選択画面において初期的に選択されている補正がさらに施された顔画像がプレビュー画像として表示される。画面は男女で分割されておらず、選択肢ボタン６２７はユーザごとではなくカップル全体でまとめて表示されて一つを選択する。ユーザがいずれかの段階のボタンを選択すると、両方のプレビュー画像が、そのボタンに対応する補正が反映されたプレビュー画像に切り替わる。最後に「ＯＫ」ボタンを選択することで「明るさ」の選択が確定する。変形例としては、男女で「明るさ」の補正への要望が異なることを考慮し、男女で別々に選択できるようにしてもよい。
【０１１６】
図２９（ａ）〜（ｃ）のプレビュー画像枠６２６に表示される顔画像は、個別認証部１３１により取得された認証用撮影画像およびその画像をベースとして選択された補正が仮反映されたプレビュー画像である。ここで、プレビュー画像はその画像処理の負荷が大きく処理に時間を要するため、ユーザが補正の項目を選択するたびにリアルタイムにプレビュー画像枠６２６へ仮反映させることがハードウェア構成によっては困難になることも想定される。その場合、ユーザが補正項目を選択するたびにその都度仮反映したプレビュー画像を生成し、処理の待ち時間が発生して補正の選択に時間がかかるおそれがある。そこで、図２８の認証撮影が終わって男女の性別が確定した時点からユーザ別の認証用撮影画像を生成するだけでなく、プレビュー画像枠６２６に表示させる可能性のある全通りのパターンのプレビュー画像を生成開始する。通常、撮影空間１０で認証撮影が終わった後、本撮影を経て編集空間２０において補正の選択を行うまで十分な時間の長さがあるため、その間に全通りのパターンのプレビュー画像を生成することは十分可能である。例えば、図２９（ａ）で表示し得るプレビュー画像は、ユーザごとに２種類ずつであり、図２９（ｂ）で表示し得るプレビュー画像は、男性は３×３＝９種類、女性は３×３×３＝２７種類であり、図２９（ｃ）で表示し得るプレビュー画像は、ユーザごとに４種類である。したがって、全通りのパターンは男性は２×９×４＝７２通り、女性は２×２７×４＝２１６通りである。また、図２８では男女を確定せずに図２９の画面において男女の指定を入れ替えられる仕様とする場合には、さらに男性の場合と女性の場合の両パターンについてプレビュー画像を生成しておいてもよい。この場合は、ユーザごとに７２通り＋２１６通りの合計２８８通りずつ生成しておけばよい。ただし、変形例においては、補正の項目が選択されるたびに仮反映したプレビュー画像をその都度生成することとしてもよい。
【０１１７】
以上、本発明の実施の形態に係る写真撮影システム６００について説明した。本発明は上記実施の形態に限定されるものではなく、その趣旨を逸脱しない限りにおいて、種々の変更が可能である。
【符号の説明】
【０１１８】
１０  撮影空間、  ５３  制御部、  １００  遊戯用撮影装置、  １３１  個別認証部、  １３２  撮像部、  １３３  画像取得部、  １３５  表示制御部、  １４２  補正処理部、  １６０  出力処理部、  ６２１  走査線。
【図１】
2017037615.tif 000003
【図２】
2017037615.tif 000004
【図３】
2017037615.tif 000005
【図４】
2017037615.tif 000006
【図５】
2017037615.tif 000007
【図６】
2017037615.tif 000008
【図７】
2017037615.tif 000009
【図８】
2017037615.tif 000010
【図９】
2017037615.tif 000011
【図１０】
2017037615.tif 000012
【図１１】
2017037615.tif 000013
【図１２】
2017037615.tif 000014
【図１３】
2017037615.tif 000015
【図１４】
2017037615.tif 000016
【図１５】
2017037615.tif 000017
【図１６】
2017037615.tif 000018
【図１７】
2017037615.tif 000019
【図１８】
2017037615.tif 000020
【図１９】
2017037615.tif 000021
【図２０】
2017037615.tif 000022
【図２１】
2017037615.tif 000023
【図２２】
2017037615.tif 000024
【図２３】
2017037615.tif 000025
【図２４】
2017037615.tif 000026
【図２５】
2017037615.tif 000027
【図２６】
2017037615.tif 000028
【図２７】
2017037615.tif 000029
【図２８】
2017037615.tif 000030
【図２９】
2017037615.tif 000031